(57)【要約】【課題】交換レンズの製造番号を容易に確認することができるカメラシステムを提供する。【解決手段】カメラ本体（３０）と、カメラ本体（３０）に着脱可能に装着される交換レンズ（１）と、交換レンズ（１）に設けられ、交換レンズ（１）の少なくともレンズ製造番号（２）を含むレンズ側固有情報が記憶されたレンズ側固有情報記憶部（１５）と、カメラ本体（３０）に設けられ、カメラ本体（３０）に交換レンズ（１）を装着した状態で、レンズ側固有情報記憶部（１５）から取得したレンズ側固有情報を表示可能な表示部（３１）とを備えている。【選択図】図３
2013178310.tif 000002
【特許請求の範囲】
【請求項１】
カメラ本体と、
前記カメラ本体に着脱可能に装着される交換レンズと、
前記交換レンズに設けられ、前記交換レンズの少なくともレンズ製造番号を含むレンズ側固有情報が記憶されたレンズ側固有情報記憶部と、
前記カメラ本体に設けられ、前記カメラ本体に前記交換レンズを装着した状態で、前記レンズ側固有情報記憶部から取得した前記レンズ側固有情報を表示可能な表示部と
を備えていることを特徴とするカメラシステム。
【請求項２】
前記交換レンズは複数のレンズを有し、
前記レンズ側固有情報記憶部が、前記複数のレンズのうちの少なくとも１つを外すことによって取り外すことができるように配置されていることを特徴とする請求項１記載のカメラシステム。
【請求項３】
複数の前記レンズ側固有情報記憶部が設けられていることを特徴とする請求項１又は２記載のカメラシステム。
【請求項４】
前記カメラ本体に設けられ、前記表示部に表示される前記レンズ側固有情報の大きさを変更するための操作部を備えていることを特徴とする請求項１記載のカメラシステム。
【請求項５】
前記カメラ本体に設けられ、前記カメラ本体の少なくともカメラ製造番号を含むカメラ側固有情報が記憶されたカメラ側固有情報記憶部と、
前記レンズ側固有情報と前記カメラ側固有情報とを関連付けてその関連付けた結果を前記レンズ側固有情報記憶部と前記カメラ側固有情報記憶部とに装着情報として記憶させる関連付け部と、
前記カメラ本体と通信可能であり、前記カメラ側固有情報記憶部に記憶された前記装着情報が記憶されたデータベースを有する管理サーバと
を備えていることを特徴とする請求項１〜４のいずれか１項記載のカメラシステム。
【請求項６】
前記関連付け部によって前記カメラ本体の所有者と前記交換レンズの所有者とが関連付けられ、その結果が前記装着情報として前記データベースに記憶されることを特徴とする請求項５記載のカメラシステム。
【請求項７】
前記データベースには、前記装着情報として、前記カメラ本体の紛失情報や交換レンズの紛失情報が記憶されることを特徴とする請求項５又は６記載のカメラシステム。
【請求項８】
前記データベースには、前記装着情報として、前記カメラ本体の拾得情報や交換レンズの拾得情報が記憶されることを特徴とする請求項５〜７のいずれか１項記載のカメラシステム。
【請求項９】
前記データベースには、前記装着情報として、前記カメラ本体の譲渡情報や交換レンズの譲渡情報が記憶されることを特徴とする請求項５〜８のいずれか１項記載のカメラシステム。
【請求項１０】
前記データベースには、前記装着情報として、撮影した画像情報の送信先情報が記憶されることを特徴とする請求項５〜９のいずれか１項記載のカメラシステム。
【請求項１１】
前記データベースには、前記装着情報として、撮影した画像情報の送信条件情報が記憶されることを特徴とする請求項５〜１０のいずれか１項記載のカメラシステム。
【請求項１２】
前記カメラ本体に前記カメラ本体の位置を検知する位置検知部を設け、前記関連付け部によって前記装着情報と前記位置検知部で検知された位置情報とを関連付けてその関連付けた結果を少なくとも前記カメラ側固有情報記憶部に記憶させることを特徴とする請求項５記載のカメラシステム。
【請求項１３】
前記交換レンズをレンズ交換したときに前記位置検知部によって検知された前記カメラ本体の位置を前記カメラ側固有情報記憶部に記憶させ、前記レンズ交換後に前記位置検知部によって検知された現在の前記カメラ本体の位置が前記カメラ側固有情報記憶部に記憶された前記レンズ交換時の前記カメラ本体の位置から離れたとき、警報を発する警報部を前記カメラ本体に設けたことを特徴とする請求項１２記載のカメラシステム。
【発明の詳細な説明】
【技術分野】
【０００１】
この発明はカメラシステムに関する。
【背景技術】
【０００２】
レンズ交換可能なデジタルカメラにおいて、交換レンズのレンズ構成や動作を視認可能で興趣性が高く、所有する複数の交換レンズを使いもらすことなく的確に使い分け可能なデジタルカメラが知られている（下記公報参照）。
【０００３】
ところで、交換レンズの外観には交換レンズ毎に固有の製造番号が表示される。
【先行技術文献】
【特許文献】
【０００４】
【特許文献１】特開２０１０−１８１７２５
【発明の概要】
【発明が解決しようとする課題】
【０００５】
外観の表面積の都合で製造番号を大きく表示出来ない場合があった。そのため、製造番号を確認し難いことがあった。
【０００６】
この発明はこのような事情に鑑みてなされたもので、その課題は交換レンズの製造番号を容易に確認することができるカメラシステムを提供することである。
【課題を解決するための手段】
【０００７】
請求項１記載の発明は、カメラ本体と、前記カメラ本体に着脱可能に装着される交換レンズと、前記交換レンズに設けられ、前記交換レンズの少なくともレンズ製造番号を含むレンズ側固有情報が記憶されたレンズ側固有情報記憶部と、前記カメラ本体に設けられ、前記カメラ本体に前記交換レンズを装着した状態で、前記レンズ側固有情報記憶部から取得した前記レンズ側固有情報を表示可能な表示部とを備えていることを特徴とする。
【０００８】
請求項２記載の発明は、請求項１記載のカメラシステムにおいて、前記交換レンズは複数のレンズを有し、前記レンズ側固有情報記憶部が、前記複数のレンズのうちの少なくとも１つを外すことによって取り外すことができるように配置されていることを特徴とする。
【０００９】
請求項３記載の発明は、請求項１又は２記載のカメラシステムにおいて、複数の前記レンズ側固有情報記憶部が設けられていることを特徴とする。
【００１０】
請求項４記載の発明は、請求項１記載のカメラシステムにおいて、前記カメラ本体に設けられ、前記表示部に表示される前記レンズ側固有情報の大きさを変更するための操作部を備えていることを特徴とする。
【００１１】
請求項５記載の発明は、請求項１〜４のいずれか１項記載のカメラシステムにおいて、前記カメラ本体に設けられ、前記カメラ本体の少なくともカメラ製造番号を含むカメラ側固有情報が記憶されたカメラ側固有情報記憶部と、前記レンズ側固有情報と前記カメラ側固有情報とを関連付けてその関連付けた結果を前記レンズ側固有情報記憶部と前記カメラ側固有情報記憶部とに装着情報として記憶させる関連付け部と、前記カメラ本体と通信可能であり、前記カメラ側固有情報記憶部に記憶された前記装着情報が記憶されたデータベースを有する管理サーバと  を備えていることを特徴とする。
【００１２】
請求項６記載の発明は、請求項５記載のカメラシステムにおいて、前記関連付け部によって前記カメラ本体の所有者と前記交換レンズの所有者とが関連付けられ、その結果が前記装着情報として前記データベースに記憶されることを特徴とする。
【００１３】
請求項７記載の発明は、請求項５又は６記載のカメラシステムにおいて、前記データベースには、前記装着情報として、前記カメラ本体の紛失情報や交換レンズの紛失情報が記憶されることを特徴とする。
【００１４】
請求項８記載の発明は、請求項５〜７のいずれか１項記載のカメラシステムにおいて、前記データベースには、前記装着情報として、前記カメラ本体の拾得情報や交換レンズの拾得情報が記憶されることを特徴とする。
【００１５】
請求項９記載の発明は、請求項５〜８のいずれか１項記載のカメラシステムにおいて、前記データベースには、前記装着情報として、前記カメラ本体の譲渡情報や交換レンズの譲渡情報が記憶されることを特徴とする。
【００１６】
請求項１０記載の発明は、請求項５〜９のいずれか１項記載のカメラシステムにおいて、前記データベースには、前記装着情報として、撮影した画像情報の送信先情報が記憶されることを特徴とする。
【００１７】
請求項１１記載の発明は、請求項５〜１０のいずれか１項記載のカメラシステムにおいて、前記データベースには、前記装着情報として、撮影した画像情報の送信条件情報が記憶されることを特徴とする。
【００１８】
請求項１２記載の発明は、請求項５記載のカメラシステムにおいて、前記カメラ本体に前記カメラ本体の位置を検知する位置検知部を設け、前記関連付け部によって前記装着情報と前記位置検知部で検知された位置情報とを関連付けてその関連付けた結果を少なくとも前記カメラ側固有情報記憶部に記憶させることを特徴とする。
【００１９】
請求項１３記載の発明は、請求項１２記載のカメラシステムにおいて、前記交換レンズをレンズ交換したときに前記位置検知部によって検知された前記カメラ本体の位置を前記カメラ側固有情報記憶部に記憶させ、前記レンズ交換後に前記位置検知部によって検知された現在の前記カメラ本体の位置が前記カメラ側固有情報記憶部に記憶された前記レンズ交換時の前記カメラ本体の位置から離れたとき、警報を発する警報部を前記カメラ本体に設けたことを特徴とする。
【発明の効果】
【００２０】
この発明によれば、交換レンズの製造番号を容易に確認することができる。
【図面の簡単な説明】
【００２１】
【図１】図１は、この発明の第１実施形態に係る交換レンズの側面図である。
【図２】図２は、カメラボディの背面図である。
【図３】図３は、交換レンズをカメラボディに装着した状態を示すブロック図である。
【図４】図４は、交換レンズの断面図である。
【図５】図５は、カメラシステムが運用される範囲にある施設の配置の一例を示す図である。
【図６】図６は、ある時における店にあるカメラ機材を示す図である。
【図７】図７は、ある時における店と管理サーバとの関係を示す図である。
【図８】図８は、端末装置の構成を示すブロック図である。
【図９】図９は、管理サーバの構成を示すブロック図である。
【図１０】図１０は、端末装置、管理サーバ及び画像サーバの通信状態を説明する図である。
【図１１】図１１は、端末装置による登録処理を説明するフローチャートである。
【図１２】図１２は、管理サーバによる登録処理を説明するフローチャートである。
【図１３】図１３は、ある時における交換レンズとカメラボディとの関係を示す図である。
【図１４】図１４は、カメラボディの構成を示すブロック図である。
【図１５】図１５は、交換レンズの構成を示すブロック図である。
【図１６】図１６は、交換レンズによる登録処理を説明するフローチャートである。
【図１７】図１７は、カメラボディによる登録処理を説明するフローチャートである。
【図１８】図１８は、ある時におけるカメラボディと管理サーバとの関係を示す図である。
【図１９】図１９は、カメラボディによる登録処理を説明するフローチャートである。
【図２０】図２０は、管理サーバによる登録処理を説明するフローチャートである。
【図２１】図２１は、ある時における公園にあるカメラ機材を示す図である。
【図２２】図２２は、ある時における交換レンズとカメラボディとメディアの関係を示す図である。
【図２３】図２３は、カメラボディによる画像登録処理を説明するフローチャートである。
【図２４】図２４は、ある時におけるカメラボディとメディアと画像サーバとの関係を示す図である。
【図２５】図２５は、画像サーバの構成を示すブロック図である。
【図２６】図２６は、カメラボディと管理サーバと画像サーバとの通信状態を説明する図である。
【図２７】図２７は、カメラボディによる登録処理を説明するフローチャートである。
【図２８】図２８は、画像サーバによる登録処理を説明するフローチャートである。
【図２９】図２９は、ある時における管理サーバと画像サーバの関係を示す図である。
【図３０】図３０は、管理サーバによる登録処理を説明するフローチャートである。
【図３１】図３１は、画像サーバによる登録処理を説明するフローチャートである。
【図３２】図３２は、フォトフレームの構成を示すブロック図である。
【図３３】図３３は、ある時におけるフォトフレームとメディアと画像サーバとの関係を示す図である。
【図３４】図３４は、フォトフレームと管理サーバと画像サーバとの関係を示す図である。
【図３５】図３５は、画像サーバによる処理を説明するフローチャートである。
【図３６】図３６は、フォトフレームによる処理を説明するフローチャートである。
【図３７】図３７は、ある時におけるメーカーと管理サーバとの関係を示す図である。
【図３８】図３８は、端末装置と管理サーバとの関係を示す図である。
【図３９】図３９は、ある時における家とメーカーとの関係を示す図である。
【図４０】図４０は、ある時における公園から駅への人の移動を示す図である。
【図４１】図４１は、ある時における家間の関係を示す図である。
【図４２】図４２は、ある時におけるカメラボディと管理サーバと画像サーバとの関係を示す図である。
【図４３】図４３は、カメラボディによる処理方法を示すフローチャートである。
【図４４】図４４は、管理サーバによる処理方法を示すフローチャートである。
【図４５】図４５は、画像サーバによる処理方法を示すフローチャートである。
【発明を実施するための形態】
【００２２】
以下、この発明の実施の形態を図面に基づいて説明する。
【００２３】
図１は、この発明の第１実施形態に係る交換レンズ１の側面図である。
【００２４】
交換レンズ１は、カメラボディ（カメラ本体）３０（図３参照）に着脱可能である。交換レンズ１としては、広角レンズ、望遠レンズ、標準レンズ等がある。
【００２５】
交換レンズ１は、固定筒３と、固定筒３の一端に設けられ、カメラボディ３０に装着するためのバヨネット３ａと、固定筒３の外周面に設けられ、ピントを調節するための操作リング４とを有する。固定筒３の外周面には交換レンズ１の製造番号（レンズ側固有情報）２が表示されている。
【００２６】
図２は、カメラボディ３０の背面図である。
【００２７】
カメラボディ３０の背面３０ａの一端側には、例えば液晶表示装置からなる表示部３１が設けられている。表示部３１にはカメラの操作に必要な情報が表示される。
【００２８】
カメラボディ３０の背面３０ａの他端側には、表示部３１に装着した交換レンズ１の製造番号を表示させる操作釦３２と、表示部３１の表示状態を変更する十字キー（操作部）３３とが設けられている。十字キー３３は上下左右の各方向指示を検出する４つのボタンとユーザが行う決定操作を検出するボタンとから構成されている。
【００２９】
操作釦３２を押すと表示部３１に装着した交換レンズ１の製造番号２が表示される。十字キー３３を操作することで表示部３１に表示された交換レンズ１の製造番号２の大きさを変更することができる。例えば操作釦３２を押すことで表示された製造番号２の大きさが不十分であるとき、十字キー３３を操作することで製造番号２の大きさを見やすい大きさに拡大することができる。
【００３０】
なお、カメラボディ３０の正面には交換レンズ１を着脱可能に装着するためのレンズ装着部（図示せず）が設けられている。
【００３１】
図３は、交換レンズ１をカメラボディ３０に装着した状態を示すブロック図である。
【００３２】
交換レンズ１には、交換レンズ１の少なくともレンズ製造番号２を含むレンズ側固有情報が記憶されたレンズ側固有情報記憶部１５が設けられている。
【００３３】
レンズ側固有情報記憶部１５はカメラボディ３０に設けられた表示部３１を介して操作釦３２，十字キー３３に電気的に接続されている。レンズ側固有情報記憶部１５に記憶されたレンズ製造番号２を含むレンズ側固有情報は、表示部３１に表示される。
【００３４】
図４は、交換レンズ１の断面図である。
【００３５】
交換レンズ１は、光軸Ｏ上に配置された２つのレンズＬ１，Ｌ２を有している。
【００３６】
レンズＬ１はレンズ室６に保持されている。レンズ室６の外周面に形成されたおねじ部６ａが、固定筒３に嵌合する移動枠７の内周面に形成されためねじ部７ａに螺合している。
【００３７】
移動枠７の外周面には、固定筒３に設けられた光軸Ｏ方向へ延びる直進溝３ｂに嵌合する移動ピン８が設けられている。
【００３８】
また、移動ピン８は、固定筒３に回転可能に保持された操作リング４の内周面に形成されたカム溝４ａに嵌合している。
【００３９】
操作リング４を回転操作させることで、カム溝４ａと固定筒３の直進溝３ｂに沿って移動ピン８が光軸方向に直進移動する。このとき、移動枠７、レンズ室６と共にレンズＬ１が光軸Ｏ方向に移動してピント調整が行われる。
【００４０】
また、レンズ室６には、レンズＬ１の外側から交換レンズ１内を見たとき、後述する記憶カード１８等が見えないように遮光部６ｂが設けられている。なお、遮光部６ｂに代えて記憶カード１８や電子基板１７、コネクタ１９、電子部品２０等に遮光処理を施すようにしてもよい。
【００４１】
レンズＬ２は固定筒３に保持されている。
【００４２】
電子基板１２（後述）が外部に露出しないように固定筒３の外周面は保護筒９によって覆われている。保護筒９はビス１０で固定筒３に固定されている。
【００４３】
電子基板１２の光軸Ｏ方向の両端部にはコネクタ１３，２１がそれぞれ設けられている。
【００４４】
固定筒３の一端部には、カメラボディ３０と通信するための接点１１が設けられている。接点１１にはリード線１４の一端部が接続されている。リード線１４の他端部は、固定筒３に設けられた貫通穴３ｃを通ってコネクタ１３に接続されている。リード線１４は、接点１１と電子基板１２との間で信号を伝達する。
【００４５】
電子基板１２にはレンズ側固有情報記憶部１５，１６や素子２５，２６等の電子部品が搭載されている。レンズ側固有情報記憶部１５，１６には交換レンズ１の製造番号２がそれぞれ記憶されている。
【００４６】
固定筒３の内周面（レンズＬ１とレンズＬ２との間）には記憶カード１８等の電子部品が搭載された電子基板１７が設けられている。記憶カード１８には交換レンズ１の製造番号が記憶されている。
【００４７】
電子基板１７にはリード線２２の一端部が接続されている。リード線２２の他端部は固定筒３に設けられた貫通穴３ｄを通ってコネクタ２１に接続されている。リード線２２は、電子基板１７と電子基板１２との間で信号を伝達する。貫通穴３ｄは、記憶カード１８、コネクタ１９、電子部品２０が搭載された電子基板１７が通過できない大きさである。記憶カード１８、コネクタ１９、電子部品２０が搭載された電子基板１７は、レンズＬ１を保持したレンズ室６を移動枠７に取り付ける前に固定筒３の内周面に固定し、リード線２２を貫通穴３ｄを通過させて電子基板１２のコネクタ２１に接続する。
【００４８】
ここで、交換レンズ１が盗難にあった場合を想定して見る。
【００４９】
交換レンズ１を盗んだ人は所有者がわからないように交換レンズの外周面に表示されている製造番号２を削り落とすことが考えられる。しかし、交換レンズ１には固有情報記憶部１５が設けられているので、交換レンズ１をカメラボディ３０に装着したときに製造番号２が表示部３１に表示され、交換レンズ１の所有者が判明し、交換レンズ１が盗難品であることがわかってしまう。そのため、交換レンズ１を盗んだ人はその転売を諦める。
【００５０】
また、交換レンズ１を盗んだ人が、交換レンズ１を自分で使用することも考えられる。しかし、交換レンズ１を修理に出した際には、上記したように交換レンズ１には固有情報記憶部１５が設けられているので、製造番号２から盗まれたものであることがわかってしまう。そのため、交換レンズ１を盗んだ人は交換レンズ１をそれ以上自分で使うことを諦める。
【００５１】
上述のように、交換レンズ１を盗んでも転売も自分で使うこともできないため、盗むこと自体を諦めるか、盗んだ交換レンズをすぐに手放すことになる。その結果、交換レンズ１は落し物として見つかり、所有者のもとに戻りやすくなる。
【００５２】
更に、交換レンズ１を盗んだ人が、交換レンズ１の製造番号２がカメラボディ３０の表示部３１に表示されないようにすることを試みる場合も考えられる。その場合、盗んだ人は、交換レンズ１の保護筒９をビス１０を緩めることで固定筒３から外し、電子基板１２を露出した状態にして製造番号２が記憶されている固有情報記憶部１５を電子基板１２から取り外すそうとする。しかし、製造番号２が記憶されている固有情報記憶部１５を取りはずしたとしても、製造番号２が記憶されている固有情報記憶部１６が残っているので、カメラボディ３０の表示部３１に交換レンズ１の製造番号２が表示される。交換レンズ１を盗んだ人は、固有情報記憶部１６にも製造番号２が記憶されていることに気づき、固有情報記憶部１６を取り外そうとする。しかし、誤って固有情報記憶部１６以外の素子２５，２６等を取り外してしまったときには交換レンズ１が機能しなくなってしまう。そのため、盗んだ人は、交換レンズ１へのそれ以上の細工を諦め、転売や自分で使うことを断念する。その結果、交換レンズ１は、落し物として所有者のもとに戻ることになる。
【００５３】
また、盗んだ人が、固有情報記憶部１５と固有情報記憶部１６とを取り外すことができたとしても、製造番号２は、記憶カード１８にも記憶されているで、交換レンズ１をカメラボディ３０に装着したときにカメラボディ３０の表示部３１に交換レンズ１の製造番号が表示される。上述したように、貫通穴３ｄは、記憶カード１８、コネクタ１９、電子部品２０が搭載された電子基板１７が通過できない大きさであるので、電子基板１７を貫通穴３ｄを通じて外へ引っ張り出すことはできない。記憶カード１８から交換レンズ１の製造番号のデータが読み出されないようにするためには、リード線２２をコネクタ２１から取り外す必要がある。しかし、電子基板１７には記憶カード１８以外に電子部品２０が搭載されており、コネクタ２１からリード線２２を抜くと電子部品２０が機能しなくなるため、交換レンズ１はその機能を発揮できなくなる。盗んだ人は、レンズＬ１を保持したレンズ室６を移動枠７から取り外すことで記憶カード１８をコネクタ１９から外してカメラボディ３０の表示部３１に製造番号が表示されないようにすることはできるが、再度レンズ室６を移動枠７に組み込んだとしても光学性能が元に戻る保証はない。光学性能を戻すためには交換レンズ１を修理に出す必要があるが、記憶カード１８が無く、固有情報記憶部１５も固有情報記憶部１６もない状態なので、交換レンズ１が盗まれたものであることがわかってしまう。従って、盗んだ人は、転売や自分のものとして使うことを諦めるため、盗難にあっても、戻ってくる可能性が高くなり、盗難自体が少なくなる。
【００５４】
この実施形態によれば、交換レンズ１の外観に表示される製造番号２をカメラボディ３０の表示部３１に表示することにより、交換レンズ１の大きさの制約によらずに製造番号２を大きく表示することが可能になるため、交換レンズ１の製造番号２を容易に確認することができる。また、交換レンズ１の外観の製造番号２が削り取られてしまうことがあってもカメラボディ３０の表示部３１に製造番号２が表示されるので所有者が容易にわかり盗難防止に繋がる。
【００５５】
なお、製造番号２を表示部３１に表示させる代わりに音声で知らせるようにしてもよい。
【００５６】
また、交換レンズ１の型ごとの製造番号２の他に、すべての交換レンズの型を通した連番を持たせるようにしても良い。例えば、ある特有のマウントであって、何十年も続いているものであって、何本目であるかの情報を持たせるようにしても良い。その交換レンズ１が累計の何千万本目に当たるかの情報を持たせて表示するようにすれば、ユーザーは新しい満足感が得られるし、メーカーは、その方に対して特典を提供するといったサービスも可能となる。
【００５７】
次に、図５〜４５を参照してこの発明の第２実施形態を説明する。
【００５８】
この第２実施形態に用いられるカメラシステムの構造は第１実施形態のカメラシステムの構造と同じであるので、その図示及び説明を省略する。なお、参照符号は複数の部品（交換レンズ等）を区別するため部品ごとに変えている。
【００５９】
図５は、カメラシステムが運用される範囲にある施設の配置の一例を示す図である。
【００６０】
家４０には人Ｐａが住んでいる。家４０の近くに店５０と公園６１とがある。
【００６１】
家４１には人Ｐｅが住んでいる。家４１の近くに店５１と公園６２とがある。公園６２の近くに駅６３と交番４５とがある。家４３には人Ｐｆが住んでいる。
【００６２】
家４２には人Ｐｉが住んでいる。家４２の近くに店５２と公園６４がある。
【００６３】
家４４には人Ｐｊが住んでいる。
【００６４】
なお、図５以下の図面において、Ｌａ，Ｌｂ，Ｌｃ，Ｌｅ，Ｌｆ，Ｌｉ，Ｌｊ，Ｌｇｇは交換レンズを示し、Ｂａ，Ｂｅ，Ｂｉ，Ｂｇｇはカメラボディを示し、Ｆｆ，Ｆｊはフォトフレームを示し、Ｍａ，Ｍｅ，Ｍｆ，Ｍｉ，Ｍｊ，Ｍｇｇは画像を保存するメディアを示し、Ｖａａ，Ｖｅｅ，Ｖｉｉ，Ｖｍは端末装置を示す。また、Ｇ１，Ｇ１１，Ｇ２，Ｇ２０，Ｇ２１，Ｇ２２，Ｇ３，Ｇ３１は場所を示す。
【００６５】
以下、図５に記載された施設を例に説明する。
【００６６】
図６は、ある時における店にあるカメラ機材を示す図である。
【００６７】
人Ｐａは、家４０の近くの店５０から、交換レンズＬａ、交換レンズＬｂ、交換レンズＬｃ、カメラボディＢａ、メディアＭａ、フォトフレームＦｆ、フォトフレームＦｊ、メディアＭｆ、メディアＭｊを購入することにした。
【００６８】
交換レンズＬａ、交換レンズＬｂ、交換レンズＬｃ、カメラボディＢａ、メディアＭａは、人Ｐａ自身が使うために購入し、フォトフレームＦｆ、メディアＭｆは家４３に住む人Ｐｆという人へのプレゼントとして購入し、フォトフレームＦｊ、メディアＭｊは家４４に住む人Ｐｊへのプレゼントとして購入した。
【００６９】
交換レンズＬａと交換レンズＬｃとは、全く同じもので、交換レンズＬｃは交換レンズＬａが故障したときの予備である。交換レンズＬｃの型番は交換レンズＬａの型番と同じであるがその製造番号は異なる。
【００７０】
図７は、ある時における店と管理サーバとの関係を示す図である。
【００７１】
店５０は端末装置（Ｖａａ）５００を有し、端末装置５００を用いて人Ｐａの顧客情報を入力する。
【００７２】
店５０は人Ｐａの顧客情報を端末装置５００によって管理サーバ（Ｄａ）７０に保存される。管理サーバ７０はネットワーク（後述）を介して端末装置５００に接続されている。
【００７３】
図８は、端末装置の構成を示すブロック図である。
【００７４】
端末装置５００のCPU（Central Processing Unit）５１１は、ROM（Read Only Memory）５１２に記憶されているプログラム、またはRAM（Random Access Memory）５１３にロードされたプログラムに従って各種の処理を実行する。RAM５１３にはまた、CPU５１１が各種の処理を実行する上において必要なデータなども適宜記憶される。CPU５１１、ROM５１２、およびRAM５１３は、バス５１４を介して相互に接続されている。バス５１４には、入出力インタフェース５２０が接続されている。
【００７５】
入出力インタフェース５２０には、キーボード、マウス等の入力部５２１、CRT、LCD等のディスプレイ、スピーカ、及びプリンタ等の出力部５２２、ハードディスク等で構成される記憶部５２３、並びにモデム、ターミナルアダプタ等で構成され、ネットワーク９００に接続されている通信部５２４が接続されている。
【００７６】
また、入出力インタフェース５２０には、ドライブ５３０が接続されている。ドライブ５３０には、磁気ディスク（フロッピディスクを含む）５３１、光ディスク（CD-ROM(CompactDisk-Read Only Memory)、DVD(Digital Versatile Disk)を含む）５３２、光磁気ディスク（ＭＤ（Mini-Disk）を含む）５３３、又は半導体メモリ５３４などが適宜装着され、それらから読み出されたコンピュータプログラムが、必要に応じてRAM５１３等にインストールされる。
【００７７】
図９は、管理サーバの構成を示すブロック図である。
【００７８】
なお、端末装置５００と共通する部分についての説明は省略した。
【００７９】
データベース７２３には、装着情報として、カメラボディ９０の紛失情報や交換レンズの紛失情報が記憶される。また、データベース７２３には、装着情報として、カメラボディ９０の拾得情報や交換レンズの拾得情報が記憶される。更に、データベース７２３には、装着情報として、カメラボディ９０の譲渡情報や交換レンズ８２の譲渡情報が記憶される。また、データベース７２３には、装着情報として、撮影した画像情報の送信先情報が記憶される。更に、データベース７２３には、装着情報として、撮影した画像情報の送信条件情報が記憶される。
【００８０】
図１０は、端末装置、管理サーバ及び画像サーバの通信状態を説明する図である。
【００８１】
端末装置５００は、ネットワーク９００を介して、管理サーバ７０に接続されている。管理サーバ７０には画像サーバ１１０が通信可能に接続されている。
【００８２】
図１１は、端末装置による登録処理を説明するフローチャートである。図１１において、Ｓ１、Ｓ２は登録処理の各ステップを示す。
【００８３】
店５０は端末装置５００から人Ｐａの購入情報（ユーザ情報）を入力部５２１によって入力する（Ｓ１）。
【００８４】
入力された購入情報は、端末装置５００のＲＡＭ５１３に記憶される。
【００８５】
購入情報は、式（１）のような形式で記憶される。
【００８６】
式（１）
2013178310.tif 000003
式（１）は以下のことを示している。
【００８７】
１行目は、ある時ｔ１に、交換レンズＬａを人Ｐａが所有することを登録したことを示す。
【００８８】
２行目は、ある時ｔ１に、交換レンズＬｂを人Ｐａが所有することを登録したことを示す。
【００８９】
３行目は、ある時ｔ１に、交換レンズＬｃを人Ｐａが所有することを登録したことを示す。
【００９０】
４行目は、ある時ｔ１に、カメラボディＢａを人Ｐａが所有することを登録したことを示す。
【００９１】
５行目は、ある時ｔ１に、フォトフレームＦｆが人Ｐａから人Ｐｆに譲られるものであることを登録したことを示す。
【００９２】
６行目は、ある時ｔ１に、フォトフレームＦｊが人Ｐａから人Ｐｊに譲られるものであることを登録したことを示す。
【００９３】
７行目は、ある時ｔ１に、メディアＭａを人Ｐａが所有することを登録したことを示す。
【００９４】
８行目は、ある時ｔ１に、メディアＭｆが人Ｐａから人Ｐｆに譲られるものであることを登録したことを示す。
【００９５】
９行目は、ある時ｔ１に、メディアＭｊが人Ｐａから人Ｐｊに譲られるものであることを登録したことを示す。
【００９６】
１０行目は、ある時ｔ１に、人Ｐａが画像サーバＥａ１１０に画像を送った際に、その画像を人Ｐｆと人Ｐｊとに送ることを登録したことを示す。
【００９７】
その後、式（１）に示されたユーザ情報は、ネットワーク９００を介して管理サーバ７０に送信される（Ｓ２）。
【００９８】
図１２は、管理サーバによる登録処理を説明するフローチャートである。図１２において、Ｓ１１、Ｓ１２は処理の各ステップを示す。
【００９９】
端末装置５００から送信されたユーザ情報はネットワーク９００を介して管理サーバ７０で受信される（Ｓ１１）。受信された情報は、管理サーバ７０のＲＡＭ７１３に記憶される。
【０１００】
式（２）
2013178310.tif 000004
ＲＡＭ７１３に記憶された式（２）の情報は、管理サーバ７０のデータベース７２３に保存される（Ｓ１２）。
【０１０１】
図１３は、ある時における交換レンズとカメラボディとの関係を示す図である。
【０１０２】
ある時ｔ２において家４０には交換レンズ８０とカメラボディ９０とがある。人Ｐａは、店５０から購入した交換レンズ８０とカメラボディ９０とが正しく作動するか否かを確認するため、家４０で交換レンズ８０をカメラボディ９０に装着する。
【０１０３】
図１４は、カメラボディの構成を示すブロック図である。
【０１０４】
ＣＰＵ１５１は、ＲＯＭ１５２に記憶されているプログラムからＲＡＭ１５３にロードしたプログラムに従ってカメラボディ９０の全体の動作を、バス１６０を介して制御する。ＲＡＭ１５３には、ＣＰＵ１５１が各種の処理を実行する上において必要なデータ等が適宜記憶される。また、ＣＰＵ１５１は、後述するレンズ側固有情報とカメラ側固有情報とを関連付けてその関連付けた結果をレンズ側固有情報記憶部とカメラ側固有情報記憶部とに装着情報として記憶させる関連付け部として機能する。更に、ＣＰＵ１５１によってカメラボディ９０の所有者と交換レンズ８０の所有者とが装着情報として関連付けられる。
【０１０５】
また、バス１６０には撮影部１５４が接続されている。撮影部１５４には、ＣＣＤ、又はＣＭＯＳ等の撮像素子を備えたカメラ１５５、及びカメラ制御部１５６が配置されている。カメラ１５５は、ユーザの指示に基づいて、被写体の画像を取り込み（撮影し）、カメラ制御部１５６は、ユーザからの要求に応じて、カメラ１５５に取り込む光量等を制御する。
【０１０６】
更に、バス１６０には操作部１６１が接続されている。操作部１６１は、撮影ボタンや調整レバー等で構成されている。ユーザは操作部１６１を操作して撮影を指示したり、カメラ１５５の調整を指示したりする。なお、操作部１６１は、ボタン及びレバーに限られるものではなく、例えば、キーボード、タッチパッド等のような上記操作ができるものであればよい。
【０１０７】
また、バス１６０には記憶部（カメラ側固有情報記憶部）１６３が接続されている。記憶部１６３は、カメラボディ９０を識別可能な固有情報（カメラ側固有情報）や装着された交換レンズ８０を識別可能な固有情報（レンズ側固有情報）を記憶する。記憶部１６３に記憶された装着情報は通信部１６６を介して管理サーバ７０のデータベース７２３に記憶される。
【０１０８】
更に、バス１６０にはモニタ（表示部）１６２が接続されている。モニタ１６２はＣＲＴやＬＣＤ等で構成され、撮影部１５４のカメラ１５５により撮影された撮影画像を表示する。モニタ１６２には、交換レンズの固有情報、操作の案内、電池残量、又は撮影枚数等の各種情報を表示させる。
【０１０９】
また、バス１６０にはＧＰＳ（位置検知部）１６４が接続されている。ＧＰＳ１６４は、カメラボディ９０の位置を検知する。
【０１１０】
更に、バス１６０にはスピーカ（警報部）１６５が接続されている。スピーカ１６５は、撮影者に例えば、交換レンズの置き忘れを音声で知らせる。ＣＰＵ１５１は、例えば、交換レンズ８０を交換したときにＧＰＳ１６４によって検知されたカメラボディ９０の位置をカメラ側固有情報記憶部１６３に記憶させる。また、ＣＰＵ１５１は、交換レンズ８０を他の交換レンズに交換後にＧＰＳ１６４によって検知された現在のカメラボディ９０の位置がカメラ側固有情報記憶部１６３に記憶された交換レンズを交換した時のカメラボディ９０の位置から離れたとき、スピーカ１６５から警報を発する。
【０１１１】
また、バス１６０には通信部１６６が接続されている。通信部１６６は、ＣＰＵ１５１に制御され、管理サーバ７０と通信を行う。
【０１１２】
更に、バス１６０には、ドライブ１７０が接続され、半導体メモリ等のメディア（Ｍａ）１００が装着され、カメラボディ９０で撮影した画像が保存される。
【０１１３】
図１５は、交換レンズの構成を示すブロック図である。
【０１１４】
交換レンズのＣＰＵ２７１、ＲＯＭ２７２、ＲＡＭ２７３の参照符号はカメラボディのＣＰＵ１５１、ＲＯＭ１５２、ＲＡＭ１５３の参照符号と異なるが、機能が共通する部分についての説明は省略した。
【０１１５】
撮影部２７４には、撮影レンズ等から構成されるレンズ２７５、及びレンズ制御部２７６が配置されている。レンズ２７５は、ユーザの指示に基づいて、被写体にピントを合わせ、レンズ制御部２７６は、ユーザからの調節要求に応じて、レンズ２７５のズーム率、取り込む光量等を制御する。
【０１１６】
操作部２８１は、操作リングや操作ボタン、調整レバー等で構成されている。ユーザは操作部２８１を操作して、ピント合わせやズーミング等のレンズ２７５に対する指示を入力する。
【０１１７】
記憶部２８２は、交換レンズ８０を識別可能な固有情報（レンズ側固有情報）や装着されたカメラボディ９０の識別可能な固有情報（カメラ側固有情報）を記憶する。
【０１１８】
通信部２８３は、ＣＰＵ２７１に制御され、カメラボディ９０と通信を行う。
【０１１９】
図１６は、交換レンズによる登録処理を説明するフローチャートである。なお、図１６において、Ｓ２１，２２は処理の各ステップを示す。
【０１２０】
カメラボディ９０に装着された交換レンズ８０は、交換レンズ８０の記憶部２８２には記憶されていない、カメラボディ９０の記憶部１６３に記憶されている装着情報を受信する（Ｓ２１）。カメラボディ９０は、購入したばかりなので、記憶部１６３には装着情報は何もないので、交換レンズＬａ８０に送られる装着情報は無い。
【０１２１】
次に、交換レンズ８０は、現在のカメラボディ９０との装着情報（式（３）参照）を記憶部２８２に記憶する（Ｓ２２）。
【０１２２】
式（３）
2013178310.tif 000005
式（３）は、ある時ｔ２に、家４０のある場所Ｇ１で交換レンズ８０がカメラボディ９０に装着されたことを示す。
【０１２３】
図１７は、カメラボディによる登録処理を説明するフローチャートである。なお、図１７において、Ｓ３１，３２は処理の各ステップを示す。
【０１２４】
交換レンズ８０を装着したカメラボディ９０は、カメラボディ９０の記憶部１６３には記憶されていない、交換レンズ８０の記憶部２８２には記憶されている装着情報を受信する（Ｓ３１）。交換レンズ８０は、購入したばかりなので、記憶部２８２には装着情報は何もないので、カメラボディ９０に送られる情報は無い。
【０１２５】
次に、カメラボディ９０は、現在の交換レンズ８０との装着情報（式（４）参照）を記憶部１６３に記憶する（Ｓ３２）。
【０１２６】
式（４）
2013178310.tif 000006
式（４）は、ある時ｔ２に、家４０のある場所Ｇ１で交換レンズ８０がカメラボディ９０に装着されたことを示す。
【０１２７】
人Ｐａは、その装着状態で、交換レンズ８０とカメラボディ９０を操作して故障の有無を確かめる。
【０１２８】
次に、人Ｐａは、交換レンズ８０をカメラボディ９０から外して、交換レンズ８１をカメラボディ９０に装着する。
【０１２９】
交換レンズ８１による登録処理を説明する。交換レンズ８１の構成は、参照符号が異なるだけで交換レンズ８０の構成と同じ（図１５参照）である。
【０１３０】
交換レンズ８１による登録処理は交換レンズ８０による登録処理と同様である（図１６参照）。
【０１３１】
なお、カメラボディ９０の記憶部１６３には、式（４）に示す装着情報があり、交換レンズ８１は購入したばかりなので記憶部３０２には装着情報は何もないので、交換レンズ８１には式（４）の情報が送られる。また、交換レンズ８１は、現在のカメラボディ９０との装着情報（式（５）参照）を記憶部３０２に記憶させる。
【０１３２】
式（５）
2013178310.tif 000007
式（５）の２行目は、ある時ｔ２に、家４０のある場所Ｇ１で交換レンズ８１がカメラボディ９０に装着されたことを示す。
【０１３３】
カメラボディ９０による登録処理は交換レンズ８０の場合と同様である（図１７参照）。
【０１３４】
なお、交換レンズ８１は、購入したばかりなので、記憶部３０２には装着情報は何もないので、カメラボディ９０に送られる情報は無い。また、カメラボディ９０は、現在の交換レンズ８１との装着情報（式（６）参照）を記憶部１６３に記憶させる（Ｓ３２）。
【０１３５】
式（６）
2013178310.tif 000008
式（６）の２行目は、ある時ｔ２に、家４０のある場所Ｇ１で交換レンズ８１がカメラボディ９０に装着されたことを示す。
【０１３６】
人Ｐａは、その装着状態で、交換レンズ８１とカメラボディ９０とを操作し交換レンズ８１の故障の有無を確かめる。
【０１３７】
次に、ある時ｔ２における交換レンズ８２とカメラボディ９０との関係を説明する。
【０１３８】
人Ｐａは、交換レンズ８１をカメラボディ９０から外して、交換レンズ８２をカメラボディＢａ９０に装着する。
【０１３９】
交換レンズ８２の構成は、参照符号が異なるだけで交換レンズ８０の構成と同じ（図１５参照）である。
【０１４０】
交換レンズ８２による登録処理は交換レンズ８０による登録処理と同様である。なお、交換レンズ８２には式（６）の情報が送られ、交換レンズ８２は、現在のカメラボディ９０との装着情報（式（７）参照）を記憶部３２２に記憶させる。
【０１４１】
式（７）
2013178310.tif 000009
式（７）の３行目は、ある時ｔ２に、家４０のある場所Ｇ１で交換レンズ８２とカメラボディ９０が装着されたことを示す。
【０１４２】
カメラボディ９０による登録処理はカメラボディ９０による登録処理と同様である（図１７参照）。
【０１４３】
なお、カメラボディ９０に送られる情報は無く、カメラボディ９０は、現在の交換レンズ８２との装着情報（式（８）参照）を記憶部１６３に記憶させる。
【０１４４】
式（８）
2013178310.tif 000010
式（８）の３行目は、ある時ｔ２に、家４０のある場所Ｇ１で交換レンズ８２がカメラボディ９０に装着されたことを示す。
【０１４５】
人Ｐａは、その装着状態で、交換レンズ８２とカメラボディ９０とを操作し交換レンズ８２の故障の有無を確かめる。
【０１４６】
以上で、人Ｐａは、交換レンズ８０、８１、８２、カメラボディ９０の動作を確認できた。
【０１４７】
なお、交換レンズ８０と交換レンズ８２とは、型番が同じで製造番号２が異なり、両者は外観からでは見分けを付き難い。そこで、外観に表示される製造番号２が頼りになるが、小型の交換レンズのように表示が小さく識別し難い場合には、第１実施形態のように、各交換レンズ８０，８２をカメラボディ９０に装着したときにモニタ１６２に各交換レンズ８０，８２の製造番号２を表示させることで交換レンズ８０と交換レンズ８２との識別が容易となる。
【０１４８】
次に、カメラボディ９０を介して管理サーバ７０と通信する（図１８参照）。
【０１４９】
図１８は、ある時におけるカメラボディと管理サーバとの関係を示す図、図１９は、カメラボディによる登録処理を説明するフローチャートである。図１９においてＳ４１は処理のステップを示す。
【０１５０】
カメラボディ９０は、記憶部１６３にある式（８）の装着情報を管理サーバ７０に送信する（Ｓ４１）。
【０１５１】
図２０は、管理サーバによる登録処理を説明するフローチャートである。図２０においてＳ５１，５２は処理の各ステップを示す。
【０１５２】
まず、管理サーバ７０は、カメラボディ９０からの装着情報（式（８）参照）を受信する（Ｓ５１）。
【０１５３】
次に、管理サーバ７０は、装着情報をＲＡＭ７１３に記憶させる。ＲＡＭ７１３に記憶された装着情報はデータベース７２３に保存される（Ｓ５２）。
【０１５４】
式（９）
2013178310.tif 000011
式（９）の１１〜１３行目にある時ｔ２における装着情報が記録される。
【０１５５】
前述したように、交換レンズ８０と交換レンズ８２とは同じレンズで、交換レンズ８０が故障したときや紛失したときに備えて、交換レンズ８２は家４０に保管されている。
【０１５６】
次に、人Ｐａが、ある時ｔ３に、交換レンズ８０と交換レンズ８１とカメラボディ９０とメディア（Ｍａ）１００を持って、家４０の近くの公園６１へ行った（図５参照）。
【０１５７】
図２１は、ある時における公園にあるカメラ機材を示す図である。
【０１５８】
人Ｐａは、場所Ｇ１１にある公園６１で交換レンズ８０とメディア１００とをカメラボディ９０に装着した（図２２参照）。
【０１５９】
図２２は、ある時における交換レンズとカメラボディとメディアの関係を示す図である。
【０１６０】
交換レンズ８０の記憶部２８２には、ある時ｔ３における装着情報（式（１０）参照）が追加される。
【０１６１】
式（１０）
2013178310.tif 000012
また、カメラボディ９０の記憶部１６３には、ある時ｔ３における装着情報（式（１１）参照）が追加される。
【０１６２】
式（１１）
2013178310.tif 000013
そして、人Ｐａは、交換レンズ８０とカメラボディ９０とメディア１００の組み合わせで撮影をした。
【０１６３】
図２３は、カメラボディによる画像登録処理を説明するフローチャートである。図２３においてＳ６１は処理のステップを示す。
【０１６４】
カメラ１５５で撮影した被写体の画像情報は、カメラボディ９０のＲＡＭ１５３に記録される。ＲＡＭ１５３に記録された画像情報は、メディア１００に保存される（Ｓ６１）。
【０１６５】
式（１２）
2013178310.tif 000014
式（１２）は、ある時ｔ３に、場所Ｇ１１で交換レンズ８０とカメラボディ９０とメディア１００の組み合わせで、３つの画像（ｉ１、ｉ２、ｉ３）を撮影したことを示す。
【０１６６】
次に、人Ｐａは、公園６１で交換レンズ８０をカメラボディ９０から取り外して交換レンズ８１をカメラボディ９０に装着した（図２２参照）。
【０１６７】
交換レンズ８１の記憶部３０２には、ある時ｔ３における装着情報（式（１３）参照）が追加される。
【０１６８】
式（１３）
2013178310.tif 000015
また、カメラボディ９０の記憶部１６３には、ある時ｔ３における装着情報（式１４参照）が追加される。
【０１６９】
式（１4）
2013178310.tif 000016
そして、人Ｐａは、交換レンズ８１とカメラボディ９０とメディア１００の組み合わせで撮影をした。撮影した画像情報は、カメラボディ９０のＲＡＭ１５３に記録される。ＲＡＭ１５３に記録された画像情報は、メディア１００に保存される（Ｓ６１）。
【０１７０】
式（１５）
2013178310.tif 000017
式（１５）は、ある時ｔ３に、場所Ｇ１１で交換レンズ８１とカメラボディ９０とメディア１００の組み合わせで、３つの画像（ｉ４、ｉ５、ｉ６）を撮影したことを示す。
【０１７１】
その後、人Ｐａは、ある時ｔ３に、家４０に戻る。
【０１７２】
家４０には、カメラ機材として交換レンズＬａ，Ｌｂ，Ｌｃ、カメラボディＢａ、メディアＭａがある。カメラボディ９０と管理サーバ７０との通信を行う（図１８参照）。
【０１７３】
管理サーバ７０による登録処理は以下の通りである（図２０参照）。
【０１７４】
まず、管理サーバ７０は、カメラボディ９０からの装着情報（式（１４）参照）を受信する（Ｓ５１）。
【０１７５】
次に、管理サーバ７０は、ＲＡＭ７１３に装着情報を記憶する。ＲＡＭ７１３に記憶された装着情報はデータベース７２３に保存される（Ｓ５２）。
【０１７６】
式（１６）
2013178310.tif 000018
式（１６）の１４、１５行目に場所Ｇ１１にある公園６１での装着情報が記録される。
【０１７７】
そして、画像を後述する画像情報サーバ（Ｅａ）１１０に送信する。
【０１７８】
図２４は、ある時におけるカメラボディとメディアと画像サーバとの関係を示す図、図２５は、画像サーバの構成を示すブロック図である。
【０１７９】
なお、端末装置５００と共通する部分についての説明は省略した。
【０１８０】
図２６は、カメラボディと管理サーバと画像サーバとの通信状態を説明する図、図２７は、カメラボディによる登録処理を説明するフローチャート、図２８は、画像サーバによる登録処理を説明するフローチャートである。なお、図２７においてＳ７１は処理のステップを示し、図２８においてＳ８１，８２は処理の各ステップを示す。
【０１８１】
カメラボディ９０は、ネットワーク９００を介して、管理サーバ７０に接続されている。
【０１８２】
カメラボディ９０は、メディア１００の画像情報を画像サーバ１１０へ送信する（Ｓ７１）。
【０１８３】
また、画像サーバ１１０は、カメラボディ９０からの画像情報を受信する（Ｓ８１）。
【０１８４】
次に、画像サーバ１１０は、画像情報をＲＡＭ８１３に記憶し、ＲＡＭ８１３に記憶された画像情報をデータベース８２３に保存する（Ｓ８２）。
【０１８５】
式（１７）
2013178310.tif 000019
次に、画像サーバ１１０と管理サーバ７０との間で通信を行う（図２９参照）。
【０１８６】
図２９は、ある時における管理サーバと画像サーバの関係を示す図、図３０は、管理サーバによる登録処理を説明するフローチャートである。図３０においてＳ９１は処理のステップを示している。
【０１８７】
管理サーバ７０は、画像サーバ１１０に記憶された式（１７）から、画像（ｉ１〜ｉ６）は、交換レンズ８０、８１、カメラボディ９０が使用して撮影されたことがわかる。管理サーバ７０は、データベース７２３から交換レンズ８０、８１、カメラボディ９０の情報を探す。式（１６）の１行目から４行目から交換レンズ８０、８１、カメラボディ９０の持ち主が人Ｐａであることがわかる。また、式（１６）の１０行目から人Ｐａは、画像サーバ１００に送信した画像を人Ｐｆと人Ｐｊに送るように設定さていることがわかる。
【０１８８】
管理サーバ７０は、式（１６）の１０行目の送信先情報を画像サーバ１１０に送信する（Ｓ９１）。
【０１８９】
図３１は、画像サーバ１１０による登録処理を説明するフローチャートである。図３１においてＳ１０１，１０２は処理の各ステップを示す。
【０１９０】
管理サーバ７０から送信された送信先情報をＲＡＭ８１３に記憶する（Ｓ１０１）。
【０１９１】
ＲＡＭ８１３の送信先情報をデータベース８２３に保存された情報（式（１７）参照）に加える（Ｓ１０２）。
【０１９２】
式（１８）
2013178310.tif 000020
次に、画像サーバ１１０に送信された画像が、人Ｐｆと人Ｐｊとに送られる。
【０１９３】
図３２は、フォトフレームの構成を示すブロック図である。
【０１９４】
フォトフレームのＣＰＵ４３１、ＲＯＭ４３２、ＲＡＭ４３３の参照符号はカメラボディのＣＰＵ１５１、ＲＯＭ１５２、ＲＡＭ１５３の参照符号と異なるが、機能が共通する部分についての説明は省略した。
【０１９５】
また、バス４４０には操作部４４１が接続されている。操作部４４１は、ボタン等により構成されている。ユーザは操作部４４１を操作して、画像を後述するモニタ４４２に表示させることが出来る。なお、操作部４４１は、ボタン及びレバーに限られるものではなく、例えば、キーボード、タッチパッド等のような上記の操作ができる入力装置であればよい。
【０１９６】
更に、バス４４０にはモニタ４４２が接続されている。モニタ４４２は、ＣＲＴやＬＣＤ等で構成され、画像や操作部４４１の入力情報を表示する。また、操作の案内、電池残量等の各種情報が表示される。
【０１９７】
また、バス４４０には記憶部４４３が接続されている。記憶部４４３は、フォトフレーム１２３を識別可能な固有情報を記憶する。
【０１９８】
更に、バス４４０には通信部４４４が接続されている。通信部４４４は、ＣＰＵ４３１に制御され、画像サーバ１１０と通信を行う。
【０１９９】
また、バス４４０にはドライブ４５０が接続されている。ドライブ４５０にはメディア１０３が装着され、画像サーバＥａ１１０から送信された画像がメディア１０３に保存される。
【０２００】
図３３は、ある時におけるフォトフレームとメディアと画像サーバとの関係を示す図、図３４は、フォトフレームと管理サーバと画像サーバとの関係を示す図である。
【０２０１】
フォトフレーム１２３は、ネットワーク９００を介して、管理サーバ７０に接続される。
【０２０２】
図３５は、画像サーバによる処理を説明するフローチャートである。図３５においてＳ１２１は処理のステップを示す。
【０２０３】
画像サーバ１１０は、式（１８）の送信先情報をもとに、画像情報をフォトフレーム１２３に送信する（Ｓ１２１）。
【０２０４】
図３６は、フォトフレームによる処理を説明するフローチャートである。図３６においてＳ１１１は処理のステップを示す。
【０２０５】
フォトフレーム１２３は、画像情報を画像サーバ１１０から受信する（Ｓ１１１）。受信した画像情報は、ＲＡＭ４３３に記憶される。ＲＡＭ４３３に記憶された画像情報は、メディアＭｆ１０３に保存される。
【０２０６】
式（１９）
2013178310.tif 000021
人Ｐｆは、フォトフレーム１２３の操作部４４１を操作して画像サーバ１１０から送られてきた人Ｐａが撮影した画像をモニタ４４２を通して見ることが出来る。
【０２０７】
人Ｐｊが住む家４４には、人Ｐａからプレゼントされたフォトフレーム（Ｆｊ）１２４とメディア（Ｍｊ）１０４がある（図５参照）。
【０２０８】
フォトフレーム１２４の構成はフォトフレーム１２３の構成と同じである（図３２参照）。
【０２０９】
フォトフレーム１２４は、ネットワーク９００を介して、管理サーバ７０に接続される（図３４参照）。
【０２１０】
画像サーバ１１０による処理及びフォトフレーム１２４による処理は、画像サーバ１１０による処理及びフォトフレーム１２３による処理と同様である（図３５、３６参照）。なお、画像情報は、ＲＡＭ４６３に記憶され、メディア１０４に保存される。
【０２１１】
式（２０）
2013178310.tif 000022
人Ｐｊは、フォトフレーム１２４の操作部４７１を操作して画像サーバ１１０から送られてきた人Ｐａが撮影した画像をモニタ４７２で見ることが出来る。
【０２１２】
以上のように、人Ｐａは、人Ｐｆと人Ｐｊとに簡単に画像を送ることができる。人Ｐｆと人Ｐｊは人Ｐａから送られてきた画像を見ることができる。
【０２１３】
人Ｐｅは、家４１から近い店５１から、交換レンズＬｅ、交換レンズＬｆ、カメラボディＢｅ、メディアＭｅを購入する。
【０２１４】
店５１には端末装置（Ｖｅｅ）５０１があり、店５１は端末装置５０１から顧客情報を入力する。管理サーバ７１は端末装置５０１から出力された顧客情報を保存する（図７参照）。
【０２１５】
また、店５１は人Ｐｅの購入情報を端末装置５０１によって管理サーバ７１に保存する。端末装置５０１の構成は端末装置５００の構成と同じである（図８参照）。また、管理サーバ７１の構成は管理サーバ７０の構成と同じである（図９参照）。
【０２１６】
端末装置５０１は、ネットワーク９００を介して、管理サーバ７１に接続される（図１０参照）。
【０２１７】
端末装置５０１による登録処理は端末装置５００による登録処理と同様である（図１１参照）。なお、入力された購入情報は、端末装置５０１のＲＡＭ５４３に記憶される。
【０２１８】
入力情報は、以下のような形式で記憶される。
【０２１９】
式（２１）
2013178310.tif 000023
１行目は、ある時ｔ１に、交換レンズＬｅを人Ｐｅが所有することを登録したことを示す。
【０２２０】
２行目は、ある時ｔ１に、交換レンズＬｆを人Ｐｅが所有することを登録したことを示す。
【０２２１】
３行目は、ある時ｔ１に、カメラボディＢｅを人Ｐｅが所有することを登録したことを示す。
【０２２２】
４行目は、ある時ｔ１に、メディアＭｅを人Ｐｅが所有することを登録したことを示す。
【０２２３】
なお、式（２１）に示す入力情報は、管理サーバ７１に送信される。
【０２２４】
管理サーバ７１による登録処理は管理サーバ７０による登録処理と同様である（図１２参照）。
【０２２５】
なお、受信した情報は、ＲＡＭ７４３に記憶される。
【０２２６】
式（２２）
2013178310.tif 000024
また、ＲＡＭ７４３に記憶された式（２２）の情報は、データベース７５３に保存される。
【０２２７】
人Ｐｅが住んでいる家４１は、場所Ｇ２にある。家４１にはカメラ機材として店５１から購入した、交換レンズＬｅ，Ｌｆ、カメラボディＢｅ、メディアＭｅがある。
【０２２８】
人Ｐｅは、店５１から購入した交換レンズ８３とカメラボディ９１とがきちんと作動するか否かを家４１で確認するため、交換レンズ８３をカメラボディ９１に装着する。
【０２２９】
カメラボディ９１の構成はカメラボディ９０の構成と同じである（図１４参照）。
【０２３０】
カメラボディ９１のバス１９０には、ドライブ２００が接続されている。ドライブ２００には、メディア１０１が装着され、カメラボディ９１で撮影した画像がメディア１０１に保存される。
【０２３１】
交換レンズ８３の構成は交換レンズ８０の構成と同じである（図１５参照）。
【０２３２】
交換レンズ８３による登録処理は交換レンズ８０の場合と同様である（図１６参照）。
【０２３３】
なお、カメラボディ９１は、購入したばかりなので、記憶部１９３には装着情報は何もないので、交換レンズ８３に送られる情報は無い。また、交換レンズ８３は、現在のカメラボディ９１との装着情報を記憶部３４２に記憶させる。
【０２３４】
式（２３）
2013178310.tif 000025
式（２３）は、ある時ｔ２に、場所Ｇ２で交換レンズ８３がカメラボディ９１に装着されたことを示す。
【０２３５】
カメラボディ９１による登録処理は交換レンズ８０をカメラボディ９０に装着した場合と同様である（図１７参照）。
【０２３６】
なお、交換レンズ８３は、購入したばかりなので、記憶部３４２には装着情報は何もないので、カメラボディ９１に送られる情報は無い。また、カメラボディ９１は、現在の交換レンズ８３との装着情報を記憶部１９３に記憶させる。
【０２３７】
式（２４）
2013178310.tif 000026
式（２４）は、ある時ｔ２に、場所Ｇ２で交換レンズ（Ｌｅ）８３がカメラボディ（Ｂｅ）９１に装着されたことを示す。
【０２３８】
人Ｐｅは、交換レンズ８３がカメラボディ９１に装着された状態で、交換レンズ８３とカメラボディ９１とを操作して故障の有無を確かめる。
【０２３９】
次に、人Ｐｅは、交換レンズ８３をカメラボディ９１から外して、交換レンズ（Ｌｆ）８４をカメラボディ９１に装着する。
【０２４０】
交換レンズ８４の構成は交換レンズ８０の構成と同じである（図１５参照）。
【０２４１】
交換レンズ８４による登録処理は交換レンズ８０をカメラボディ９０に装着した場合と同様である。（図１６参照）。
【０２４２】
なお、交換レンズ８４は購入したばかりなので記憶部３６２には装着情報は何もないので、交換レンズ８４にカメラボディ９１の記憶部１９３に記憶された式（２４）の装着情報が送られる。また、交換レンズ８４は、現在のカメラボディ９１との装着情報を記憶部３６２に記憶させる。
【０２４３】
式（２５）
2013178310.tif 000027
式（２５）の２行目は、ある時ｔ２に、場所Ｇ２で交換レンズ８４がカメラボディ９１に装着されたことを示す。
【０２４４】
カメラボディ９１による登録処理は交換レンズ８０をカメラボディ９０に装着した場合と同様である（図１７参照）。
【０２４５】
なお、交換レンズ８４は、購入したばかりなので、記憶部３６２には装着情報は何もないので、カメラボディ９１に送られる情報は無い。また、カメラボディ９１は、現在の交換レンズ８４の装着情報を記憶部１９３に記憶させる。
【０２４６】
式（２６）
2013178310.tif 000028
式（２６）の２行目は、ある時ｔ２に、場所Ｇ２で交換レンズ８４がカメラボディ９１に装着されたことを示す。
【０２４７】
人Ｐｅは、交換レンズ８４がカメラボディ９１に装着された状態で、交換レンズ８４とカメラボディ９１とを操作し交換レンズ８４の故障の有無を確かめる。
【０２４８】
以上で、人Ｐｅは、交換レンズ８３，８４、カメラボディ９１の動作を確認できた。
【０２４９】
次に、人Ｐｅは、カメラボディ９１と管理サーバ７１との間で通信を行う。
【０２５０】
カメラボディ９１による登録処理及び管理サーバ７１による登録処理はカメラボディ９０による登録処理及び管理サーバ７０による登録処理と同様である（図１９，２０参照）。
【０２５１】
式（２７）
2013178310.tif 000029
式（２７）の５〜６行目に交換レンズ８３，８４の装着情報が記録される。
【０２５２】
次に、人Ｐｅが、ある時ｔ３に、交換レンズ８３と交換レンズ８４とカメラボディ９１とメディア１０１とを持って、家４１の近くの場所Ｇ２１にある公園６２に行った（図５参照）。
【０２５３】
人Ｐｅは、公園６２で交換レンズ８３とメディア１０１とをカメラボディ９１に装着した（図２２参照）。
【０２５４】
交換レンズ８３の記憶部３４２には、装着情報が追加される（式（２８）参照）。
【０２５５】
式（２８）
2013178310.tif 000030
カメラボディ９１の記憶部１９３には、装着情報が追加される（式（２９）参照）。
【０２５６】
式（２９）
2013178310.tif 000031
人Ｐｅは、交換レンズ８３とカメラボディ９１とメディア１０１との組み合わせで撮影をした。
【０２５７】
カメラボディ９１による画像登録処理はカメラボディ９１による画像登録処理と同様である（図２３参照）。
【０２５８】
式（３０）
2013178310.tif 000032
式（３０）は、ある時ｔ３に、場所Ｇ２１で交換レンズ８３とカメラボディ９１とメディア１０１の組み合わせで、３つの画像（ｉ１、ｉ２、ｉ３）を撮影したことを示す。
【０２５９】
次に、人Ｐｅは、公園６２で交換レンズ８３をカメラボディ９１から取り外して交換レンズ８４をカメラボディ９１に装着した。
【０２６０】
交換レンズ８４の記憶部３６２には、装着情報が追加される（式（３１）参照）。
【０２６１】
式（３１）
2013178310.tif 000033
カメラボディ９１の記憶部１９３には、装着情報が追加される（式（３２）参照）。
【０２６２】
式（３２）
2013178310.tif 000034
人Ｐｅは、交換レンズ８４とカメラボディ９１とメディア１０１の組み合わせで撮影した。カメラボディ９１による画像登録処理はカメラボディ９１による画像登録処理と同様である（図２３参照）。
【０２６３】
式（３３）
2013178310.tif 000035
式（３３）は、ある時ｔ３に、場所Ｇ２１で交換レンズ８４とカメラボディ９１とメディア１０１の組み合わせで、３つの画像（ｉ４、ｉ５、ｉ６）を撮影したことを示す。
【０２６４】
その後、人Ｐｅは、ある時ｔ３に、家４１に戻る。
【０２６５】
家４１で、カメラボディ（Ｂｅ）９１と管理サーバ７１との間の通信を行う。なお、家４１にはカメラ機材として交換レンズＬｅ，Ｌｆ、カメラボディＢｅ、メディアＭｅがある。
【０２６６】
管理サーバ７１による登録処理は管理サーバ７１による登録処理と同様である（図２０参照）。
【０２６７】
式（３４）
2013178310.tif 000036
式（３４）の７〜８行目に場所Ｇ２１にある公園６２での装着情報が記録されている。後述する画像サーバ１１１に画像が送信される。
【０２６８】
画像サーバ１１１の構成は画像サーバ１１０の構成と同じである。
【０２６９】
カメラボディ９１は、ネットワーク９００を介して、管理サーバ７１に接続される（図２６参照）。
【０２７０】
カメラボディ９１による登録処理及び画像サーバ１１０による登録処理はカメラボディ９０による登録処理及び画像サーバ１１０による登録処理と同様である（図２７，２８参照）。
【０２７１】
式（３５）
2013178310.tif 000037
人Ｐｉは、家４２から店５２が近いので（図５参照）、店５２から、交換レンズ８５、交換レンズ８６、カメラボディ９２、メディア１０２を購入する。
【０２７２】
店５２には、顧客情報を入力する端末装置５０２があり、顧客情報を入力する。
【０２７３】
管理サーバ７２は、端末装置５０２から出力された顧客情報を保存する。店５２は、端末装置５０２を介して人Ｐｉの購入情報を管理サーバ７２に保存する。
【０２７４】
端末装置５０２の構成は端末装置５００の構成と同じである（図８参照）。
【０２７５】
管理サーバ７２の構成は管理サーバ７０の構成と同じである（図９参照）。
【０２７６】
端末装置５０２は、ネットワーク９００を介して、管理サーバ７２に接続される（図１０参照）。
【０２７７】
端末装置５０２による登録処理は端末装置５０２による登録処理と同様である（図１１参照）。なお、入力情報は端末装置５０２のＲＡＭ５７３に記憶される。
【０２７８】
入力情報は、以下のような形式で記憶される。
【０２７９】
式（３６）
2013178310.tif 000038
１行目は、ある時ｔ１に、交換レンズ（Ｌｉ）８５を人Ｐｉが所有することを登録したことを示す。
【０２８０】
２行目は、ある時ｔ１に、交換レンズ（Ｌｊ）８６を人Ｐｉが所有することを登録したことを示す。
【０２８１】
３行目は、ある時ｔ１に、カメラボディ（Ｂｉ）９２を人Ｐｉが所有することを登録したことを示す。
【０２８２】
４行目は、ある時ｔ１に、メディア（Ｍｉ）１０２を人Ｐｉが所有することを登録したことを示す。
【０２８３】
管理サーバ７２による登録処理は管理サーバ７０による登録処理と同様である（図１２参照）。なお、受信した情報は管理サーバ７２のＲＡＭ７７３に記憶される。
【０２８４】
式（３７）
2013178310.tif 000039
なお、ＲＡＭ７７３に記憶された式（３７）の情報は、データベース７８３に保存される。
【０２８５】
人Ｐｉが住んでいる家４２は、場所Ｇ３にある。家４２にはカメラ機材として店５２から購入した、交換レンズ８５、交換レンズ（Ｌｊ）８６、カメラボディ（Ｂｉ）９２、メディア（Ｍｉ）１０２がある。
【０２８６】
人Ｐｉは、店５２から購入したものがきちんと作動するか否かを家４２で確認するため、交換レンズ８５をカメラボディ９２に装着する。
【０２８７】
交換レンズ８５による登録処理は交換レンズ８０による登録処理と同様である（図１６参照）。
【０２８８】
なお、カメラボディ９２は、購入したばかりなので、記憶部２２３には装着情報は何もないので、交換レンズ８５に送られる情報は無い。また、交換レンズ８５は、現在のカメラボディ９２との装着情報を記憶部３８２に記憶させる。
【０２８９】
式（３８）
2013178310.tif 000040
式（３８）は、ある時ｔ２に、Ｇ３という場所で交換レンズ８５がカメラボディ９２に装着されたことを示す。
【０２９０】
カメラボディ９２による登録処理はカメラボディ９２による登録処理と同様である（図１７参照）。
【０２９１】
なお、交換レンズ８５は、購入したばかりなので、記憶部３８２には装着情報は何もないので、カメラボディ９２に送られる情報は無い。また、カメラボディ９２は、現在の交換レンズ８５との装着情報を記憶部２２３に記憶させる。
【０２９２】
式（３９）
2013178310.tif 000041
式（３９）は、ある時ｔ２に、Ｇ３という場所で交換レンズ８５がカメラボディ９２に装着されたことを示す。
【０２９３】
人Ｐｉは、その状態で、交換レンズ８５とカメラボディ９２を操作して故障の有無を確かめる。
【０２９４】
次に、人Ｐｉは、交換レンズ８５をカメラボディ９２から外して、交換レンズ８６をカメラボディ９２に装着する。
【０２９５】
交換レンズ８６による登録処理は交換レンズ８０による登録処理と同様である（図１６参照）。
【０２９６】
なお、カメラボディ９２の記憶部２２３には、式（３９）に示す装着情報があり、交換レンズ８６は購入したばかりなので記憶部４０２には装着情報は何もないので、交換レンズ８６には式（３９）の情報が送られる。また、交換レンズ８６は、現在のカメラボディ９２の装着情報を記憶部４０２に記憶させる。
【０２９７】
式（４０）
2013178310.tif 000042
式（４０）の２行目は、ある時ｔ２に、Ｇ３という場所で交換レンズ８６がカメラボディ９２に装着されたことを示す。
【０２９８】
カメラボディ９２による登録処理はカメラボディ９０による登録処理と同様である（図１７参照）。
【０２９９】
なお、交換レンズ８６は、購入したばかりなので、記憶部４０２には装着情報は何もないので、カメラボディ９２に送られる情報は無い。また、カメラボディ９２は、現在の交換レンズ８６との装着情報を記憶部２２３に記憶させる。
【０３００】
式（４１）
2013178310.tif 000043
式（４１）の２行目は、ある時ｔ２に、Ｇ３という場所で交換レンズ８６がカメラボディ９２に装着されたことを示す。
【０３０１】
人Ｐｉは、その状態で、交換レンズ８６とカメラボディ９２を操作し交換レンズ８６の故障の有無を確かめる。
【０３０２】
以上で、人Ｐｉは、交換レンズ８５，８６、カメラボディ９２の動作を確認できた。
【０３０３】
その後、人Ｐｉは、カメラボディ９２と管理サーバ７２との間の通信を行う。
【０３０４】
カメラボディ９２による登録処理はカメラボディ９０による登録処理と同様である（図１９参照）。また、管理サーバ７２による登録処理は管理サーバ７０による登録処理と同様である（図２０参照）。
【０３０５】
式（４２）
2013178310.tif 000044
式（４２）の５〜６行目に装着情報が記録される。
【０３０６】
次に、人Ｐｉが、ある時ｔ３に、交換レンズ８５と交換レンズ８６とカメラボディ９２とメディア１０２とを持って、家４２の近くの場所Ｇ３１にある公園６４に行った（図５参照）。
【０３０７】
人Ｐｉは、公園６４で交換レンズ８５とメディア１０２とをカメラボディ９２に装着した（図２２参照）。
【０３０８】
交換レンズ８５の記憶部３８２には、装着情報が追加される。
【０３０９】
式（４３）
2013178310.tif 000045
カメラボディ９２の記憶部２２３には、装着情報が追加される。
【０３１０】
式（４４）
2013178310.tif 000046
そして、人Ｐｉは、交換レンズ８５とカメラボディ９２とメディア１０２の組み合わせで撮影をした。
【０３１１】
カメラボディ９２による登録処理はカメラボディ９０による登録処理と同様である（図２３参照）。
【０３１２】
式（４５）
2013178310.tif 000047
式（４５）は、ある時ｔ３に、場所Ｇ３１で交換レンズ８５とカメラボディ９２とメディア１０２との組み合わせで、３つの画像（ｉ１、ｉ２、ｉ３）を撮影したことを示す。
【０３１３】
次に、人Ｐｉは、公園６４で交換レンズ８５をカメラボディ９２から取り外して交換レンズ８６をカメラボディ９２に装着した。
【０３１４】
交換レンズ８６の記憶部４０２には、装着情報が追加される。
【０３１５】
式（４６）
2013178310.tif 000048
カメラボディ９２の記憶部２２３には、装着情報が追加される（式（４７）参照）。
【０３１６】
式（４７）
2013178310.tif 000049
そして、人Ｐｉは、交換レンズ８６とカメラボディ９２とメディア１０２との組み合わせで撮影をした。
【０３１７】
カメラボディ９２による登録処理はカメラボディ９０による登録処理と同様である（図２３参照）。撮影した画像情報は、カメラボディ９２のＲＡＭ２１３に記憶され、メディア１０２に保存される。
【０３１８】
式（４８）
2013178310.tif 000050
式（４８）は、ある時ｔ３に、場所Ｇ３１で交換レンズ８６とカメラボディ９２とメディア１０２との組み合わせで、３つの画像（ｉ４、ｉ５、ｉ６）を撮影したことを示す。
【０３１９】
その後、人Ｐｉは、ある時ｔ３に、家４２に戻る。
【０３２０】
人Ｐｉは、カメラボディ（Ｂｉ）９２と管理サーバ７２との通信を行う。なお、家４２にはカメラ機材として交換レンズＬｉ，Ｌｊ、カメラボディＢｉ、メディアＭｉがある（図５参照）。
【０３２１】
管理サーバ７２による登録処理は管理サーバ７０による登録処理と同様に行われる（図２０参照）。
【０３２２】
式（４９）
2013178310.tif 000051
式（４９）の７、８行目に公園６４での装着情報が記録される。
【０３２３】
そして、画像を後述する画像サーバ１１２に送信する。
【０３２４】
カメラボディ９２は、ネットワーク９００を介して、管理サーバ７２に接続される（図２６参照）。
【０３２５】
カメラボディ９２及び画像サーバ１１２による登録処理はカメラボディ９０及び画像サーバ１１０による登録処理と同様である（図２７参照）。
【０３２６】
式（５０）
2013178310.tif 000052
上記したように、交換レンズ８５，８６とカメラボディ９２との装着情報は蓄積されるので、交換レンズ８５，８６内やカメラボディ９２内に蓄えられた情報を、ある程度溜まってきたときに、記録の古いものから消去していくのが良い。
【０３２７】
カメラボディ内と交換レンズ内に装着情報を記憶することで、複数台のカメラボディを使用する人にとっては、管理サーバへの装着情報の送信を特定のカメラボディに限定しても、複数台のカメラボディの装着情報が管理サーバへ送信できるので都合が良い。使用するカメラボディが１台のみの場合は、交換レンズとの装着情報は、そのカメラボディ内に集まるので、その場合には、交換レンズ内に装着情報を記録しないようにしても良い。
【０３２８】
また、人Ｐａは、ある時ｔ４に、レンズ８０，８１、カメラボディ９０を持って、場所Ｇ２１にある公園６２に出かけた。
【０３２９】
人Ｐａは、公園６２で交換レンズ８０とメディア１００とをカメラボディ９０に装着した（図２２参照）。
【０３３０】
交換レンズ８０の記憶部２８２には、装着情報が追加される（式（５１）参照）。
【０３３１】
式（５１）
2013178310.tif 000053
カメラボディ９０の記憶部１６３には、装着情報が追加される（式（５２）参照）。
【０３３２】
式（５２）
2013178310.tif 000054
そして、人Ｐａは、交換レンズ８０とカメラボディ９０とメディア１００の組み合わせで撮影をした。
【０３３３】
撮影した画像情報は、カメラボディ９０のＲＡＭ１５３に記憶され、メディア１００に保存される。
【０３３４】
式（５３）
2013178310.tif 000055
式（５３）は、ある時ｔ４に、場所Ｇ２１で交換レンズ８０とカメラボディ９０とメディア１００の組み合わせで、画像（ｉ７）を撮影したことを示す。
【０３３５】
次に、人Ｐａは、公園６２で交換レンズ８０をカメラボディ９０から取り外して交換レンズ８１をカメラボディ９０に装着した。
【０３３６】
交換レンズ８１の記憶部３０２には、装着情報が追加される（式（５４）参照）。
【０３３７】
式（５４）
2013178310.tif 000056
カメラボディ９０の記憶部１６３には、装着情報が追加される（式（５５）参照）。
【０３３８】
式（５５）
2013178310.tif 000057
そして、人Ｐａは、交換レンズ８１とカメラボディ９０とメディア１００の組み合わせで撮影をした。撮影した画像情報は、カメラボディ９０のＲＡＭ１５３に記憶され、メディア１００に保存される。
【０３３９】
式（５６）
2013178310.tif 000058
式（５６）は、ある時ｔ４に、場所Ｇ２１で交換レンズ８１とカメラボディ９０とメディア１００の組み合わせで、画像（ｉ８）を撮影したことを示す。
【０３４０】
その後、人Ｐａは、ある時ｔ４に、家４０に戻る。
【０３４１】
家４０に戻ったとき、人Ｐａは、交換レンズ８０を公園６２に忘れてきたことに気づく。公園６２は、家４０から遠いこともあり、今戻っても交換レンズ８０は無いだろうと諦めることにした。また、人Ｐａは、交換レンズ８０と同じ交換レンズ８２を所有しているので、交換レンズ８２を交換レンズ８０の代用品とすることができる。したがって、家４０にはカメラ機材として交換レンズＬｂ，Ｌｃ、カメラボディＢａ，メディアＭａがある。
【０３４２】
人Ｐａは、カメラボディ９０と管理サーバ７０との間の通信を行う。
【０３４３】
管理サーバ７０は、カメラボディ９０からの装着情報をＲＡＭ７１３に記憶するとともに、装着情報をデータベース７２３に保存する（図１８参照）。
【０３４４】
式（５７）
2013178310.tif 000059
式（５７）の１６、１７行目に公園６２での装着情報が記録される。
【０３４５】
そして、画像を画像情報サーバ１１０に送信する。
【０３４６】
カメラボディ９０は、メディア１００の画像情報を画像サーバ１１０へ送信する。画像サーバ１１０は、カメラボディ９０からの画像情報をＲＡＭ８１３に記憶するとともに、画像情報をデータベース８２３に保存する。
【０３４７】
式（５８）
2013178310.tif 000060
その後、画像サーバ１１０と管理サーバ７０との間の通信を行う。
【０３４８】
画像サーバ１１０は管理サーバ７０から送信された送信先情報をＲＡＭ８１３に記憶するとともに、送信先情報をデータベース８２３にある式（５８）に加える（式（５９）参照）。
【０３４９】
式（５９）
2013178310.tif 000061
画像サーバ１１０に送信された画像が、人Ｐｆと人Ｐｊとに送られる。
【０３５０】
人Ｐｆが住む家４３には、カメラ機材として人Ｐａからプレゼントされたフォトフレーム１２３とメディア１０３がある。
【０３５１】
画像サーバ１１０は、式（５９）の送信先情報をもとに、画像情報をフォトフレーム１２３に送信する。フォトフレーム１２３は、受信した画像情報を、メディア１０３に保存する（図３３参照）。
【０３５２】
式（６０）
2013178310.tif 000062
人Ｐｆは、フォトフレーム１２３の操作部４４１を操作して画像サーバ１１０から送られてきた７、８行目の画像をモニタ４４２を通して見ることが出来る。
【０３５３】
人Ｐｊが住む家４４には、人Ｐａからプレゼントされたフォトフレーム１２４とメディア１０４がある。
【０３５４】
画像サーバ１１０は、式（５９）の送信先情報をもとに、画像情報をフォトフレーム１２４に送信する。フォトフレーム１２４は、受信した画像情報をメディア１０４に保存する（図３３参照）。
【０３５５】
式（６１）
2013178310.tif 000063
人Ｐｊは、フォトフレーム１２４の操作部４７１を操作して画像サーバ１１０から送られてきた７、８行目の画像をモニタ４７２を通して見ることが出来る。
【０３５６】
人Ｐｅは、家４１の近くの公園６２に行った際、交換レンズ８０があることに気づいた（図５参照）。公園６２の近くには、交番４５があり、人Ｐｅは、交換レンズ８０を交番４５に届ける。
【０３５７】
交番４５にはカメラ機材として人Ｐｅが届けた交換レンズＬａがある。交番４５は、メーカー５３に交換レンズＬａの所有者を問い合わせる。
【０３５８】
図３７は、ある時におけるメーカーと管理サーバとの関係を示す図、図３８は、端末装置と管理サーバとの関係を示す図である。
【０３５９】
メーカー５３は、管理サーバ７０、管理サーバ７１及び管理サーバ７２と通信する（式（６２）、式（６３）及び式（６４）参照）。
【０３６０】
式（６２）
2013178310.tif 000064
式（６３）
2013178310.tif 000065
式（６４）
2013178310.tif 000066
メーカー５３は、管理サーバ７０内の式（６２）に示される記録のI行目から、交換レンズ８０は、人Ｐａが所有者であることがわかる。メーカー５３は、人Ｐａに連絡して、交番４５に交換レンズ８０が落し物として届いていることを伝える。そのため、人Ｐａは、交番４５に出向くことによって交換レンズ８０を取り戻すことができる。その際、管理サーバ７０内の式（６２）に示される記録のII、III行目から、公園６２で、交換レンズ８０がカメラボディ９０に装着された後に、交換レンズ８０がカメラボディ９０から取り外されて交換レンズ８１がカメラボディ９０に取り付けられたことがわかり、交換レンズ８０を公園６２に置き忘れた裏づけとなる。そのため、メーカー５３は、所有者への手続きがスムーズに行われるための情報提供を交番４５にすることが可能となる。
【０３６１】
このように、本発明によれば、交換レンズ８０をどこかに置き忘れた場合でも、メーカー５３にて容易に所有者を調べることができるので、交換レンズ８０は所有者のもとに返ってくる。交換レンズ８０に限らずカメラボディ９０においても、管理サーバ７０，７１，７２に所有者が記録されているので交換レンズ８０と同様に、所有者を容易に調べることができる。
【０３６２】
なお、交番４５が業務用としてカメラを所有している場合には、以下のようなことも可能である。
【０３６３】
交番４５は、店５１から、交換レンズ８７、カメラボディ９３、メディア１０５を購入する（図５参照）。
【０３６４】
店５１は端末装置５０１から交番４５の購入情報を入力部５５１によって入力し、入力情報をＲＡＭ５４３に記憶させる。
【０３６５】
入力情報は、以下のような形式である。
【０３６６】
式（６５）
2013178310.tif 000067
５行目は、ある時ｔ１に、交換レンズ８７を交番４５が所有することを登録したことを示す。
【０３６７】
６行目は、ある時ｔ１に、カメラボディ９３を交番４５が所有することを登録したことを示す。
【０３６８】
７行目は、ある時ｔ１に、メディア１０５を交番４５が所有することを登録したことを示す。
【０３６９】
式（６５）に示す入力情報は、管理サーバ７１に送信される。
【０３７０】
端末装置５０１に入力された式（６５）の情報は、管理サーバ７１のＲＡＭ７４３に記憶される。
【０３７１】
式（６６）
2013178310.tif 000068
ＲＡＭ７４３に記憶された式（６６）の情報は、データベース７５３に保存される。
【０３７２】
交番４５では、店５１から購入したものがきちんと作動するか否かを確認する。まず、交換レンズ８７をカメラボディ９３に装着する。
【０３７３】
カメラボディ９３のバス２２０には、ドライブ２６０が接続され、ドライブ２６０にメディア１０５が装着されている（図１４参照）。メディア１０５にはカメラボディ９３で撮影した画像が保存される。
【０３７４】
交換レンズ８７の記憶部４２２には、装着情報が追加される（式（６７）参照）
式（６７）
2013178310.tif 000069
式（６７）は、ある時ｔ２に、場所Ｇ２０で交換レンズ８７がカメラボディ９３に装着されたことを示す。
【０３７５】
カメラボディ９３の記憶部２５３には、装着情報が追加される（式（６８）参照）。
【０３７６】
式（６８）
2013178310.tif 000070
式（６８）は、ある時ｔ２に、場所Ｇ２０で交換レンズ８７がカメラボディ９３に装着されたことを示す。
【０３７７】
交番４５は、交換レンズ８７とカメラボディ９３とを操作して故障がないか確かめる。
【０３７８】
次に、交番４５は、カメラボディ９３と管理サーバ７１との間の通信を行う（図１８参照）。
【０３７９】
カメラボディ９３は、記憶部２５３にある式（６８）の装着情報を管理サーバ７１に送信し、管理サーバ７１は、カメラボディ９３からの装着情報をデータベース７５３に保存する（式（６９）参照）。
【０３８０】
式（６９）
2013178310.tif 000071
式（６９）の７行目に交番４５での装着情報が記録される。
【０３８１】
人Ｐｅが、交換レンズ８０を拾って交番４５に届けたとき、交番４５は届けられた交換レンズ８０をカメラボディ９３に装着する（図１３参照）。
【０３８２】
交換レンズ８０の記憶部２８２には、装着情報が追加される（式（７０）参照）。
【０３８３】
式（７０）
2013178310.tif 000072
式（７０）は、ある時ｔ５に、場所Ｇ２０で交換レンズ８０がカメラボディ９３に装着されたことを示す。
【０３８４】
カメラボディ９３の記憶部２５３には、装着情報が追加される（式（７１）参照）。
【０３８５】
式（７１）
2013178310.tif 000073
式（７１）は、ある時ｔ５に、場所Ｇ２０で交換レンズ８０がカメラボディ９３に装着されたことを示す。
【０３８６】
次に、交番４５は、カメラボディ９３を介して管理サーバ７１と通信する。
【０３８７】
カメラボディ９３は、記憶部２５３にある式（７１）の装着情報を管理サーバ７１に送信し（図１８参照）、管理サーバ７１は、カメラボディ９３からの装着情報をデータベース７５３に保存する。
【０３８８】
式（７２）
2013178310.tif 000074
式（７２）の１９行目に交番４５での装着情報が記録される。
【０３８９】
メーカー５３は、管理サーバ７１をチェックしていてカメラボディ９３の情報が入ったことを知る。
【０３９０】
メーカー５３は、管理サーバＤｅ７１と通信を行う（図３７参照）。
【０３９１】
式（７３）
2013178310.tif 000075
式（７３）のI、II行から、カメラボディ９３に交換レンズ８７と交換レンズ８０とが装着されたことがわかり、III行から交換レンズ８７は交番４５が所有するものとわかる。交換レンズ８０の所有情報が管理サーバ７１に無いことがわかる。
【０３９２】
メーカー５３は、管理サーバ７０，７２と通信を行う（式（７４），（７５）参照）。
【０３９３】
式（７４）
2013178310.tif 000076
式（７５）
2013178310.tif 000077
式（７４）のI行から交換レンズ８０の所有者は、人Ｐａであることがわかる。メーカー５３は、人Ｐａに連絡をして、交換レンズ８０の紛失の有無を確認することができ、人Ｐａは、交番４５に出向いて、交換レンズ８０を取り戻すことができる。
【０３９４】
一方、交番４５は、交換レンズ８０が落し物としてメーカー５３に問い合わせをすることを省略できる。
【０３９５】
人Ｐａが交換レンズ８０の保証書を紛失し交換レンズ８０が自分の所有物として証明できない場合、管理サーバ７０には、人Ｐａが交換レンズ８０を購入した際の所有の記録が式（７４）のI行に残っているので、メーカー５３が交換レンズ８０が人Ｐａの所有であることを証明することが出来る。
【０３９６】
人Ｐａが、交換レンズ８０を紛失した際、メーカー５３に紛失の登録をしておくこともできる。
【０３９７】
人Ｐａは、メーカー５３に連絡をして、交換レンズ８０を紛失したことを知らせる。
【０３９８】
図３９は、ある時における家とメーカーとの関係を示す図である。
【０３９９】
メーカー５３は、管理サーバ７０に紛失情報を記録する。
【０４００】
メーカー５３は、端末装置５０３の入力部６１１から人Ｐａの交換レンズ８０の紛失情報を入力し、管理サーバ７０のデータベース７２３に保存する。
【０４０１】
式（７６）
2013178310.tif 000078
式（７６）のI行に交換レンズ８０が紛失したことが記録された。
【０４０２】
この紛失情報によって、交番４５での装着確認のほかに、交換レンズ８０の装着記録に着目して検索を続けることが可能となるので、交換レンズ８０が見つかる手がかりの範囲を広げることが可能となる。
【０４０３】
交換レンズ８０が見つかったとき、メーカー５３は管理サーバ７０に交換レンズ８０が見つかったことを記録する。
【０４０４】
メーカー５３は、端末装置５０３の入力部６１１から人Ｐａの交換レンズ８０が見つかった情報を入力し、その情報を管理サーバ７０のデータベース７２３に保存する（図７参照）。
【０４０５】
式（７７）
2013178310.tif 000079
式（７７）のI行に交換レンズ８０が見つかったことが記録された。
【０４０６】
その結果、交換レンズ８０に着目しての検索を終了することができ、管理サーバ７０を効率よく稼働させることが可能となる。
【０４０７】
以上のように、善意の届出から交換レンズ８０を所有者に戻すことができる。もし、盗難の目的であったとしても、盗んだ人が交換レンズ８０をカメラボディに装着すれば、不自然なカメラボディと交換レンズ８０との組み合わせとして、管理サーバ７０に記録が残るので、盗難を防ぐことができる。また、盗難の交換レンズ８０を装着したカメラボディに管理サーバ７０との通信のときに、カメラボディの動作が出来なくなるデータを送って撮影できなくすることもできる。
【０４０８】
管理サーバ７０内には、所有者の個人情報が残るが、交換レンズ８０内やカメラボディ内に記録される情報には個人情報が残らないので、紛失した場合でもセキュリティー上安全である。
【０４０９】
メーカー５３では、新開発した交換レンズを発売前の評価として貸し出す場合があるが、どのカメラボディに装着されたか履歴が残るので、契約を守っているかどうかを判断することが出来守秘義務対策になる。
【０４１０】
また、この発明の第２実施形態では、交換レンズの置き忘れ防止も可能である。
【０４１１】
図４０は、ある時における公園から駅への人の移動を示す図である。
【０４１２】
人Ｐａは、家４０に戻るために公園６２から駅６３に移動する。人Ｐａは、交換レンズ８０を公園６２に忘れてきてしまう。カメラボディ９０は、ＧＰＳ１６４によって駅６３に移動したことを検知する。カメラボディ９０は、記憶部１６３に記憶された式（５５）の６、７行目から、公園６２でカメラボディａ９０に装着された交換レンズ８０が交換レンズ８１に交換されたことがわかるので、カメラボディ９０のスピーカ１６５から警報を発するとともに、モニタ１６２に、「レンズ８０はお持ちですか？」と表示させる。人Ｐａは、交換レンズ８０が手元にないことに気づく。そのとき、人Ｐａは、まだ駅６３に着いておらず、家４０の近くまで移動していないので、容易に公園６２に戻って交換レンズ８０を取り戻すことが出来る。スピーカ１６５で知らせるほかに、振動や光で伝えるようにしてもよい。
【０４１３】
以上のように本発明では、カメラ機材の置忘れによる紛失を防止することが出来る。
【０４１４】
更に、この本発明は、安全にカメラ機材の譲渡を行うことができる。
【０４１５】
人Ｐａは、交換レンズ８０が故障したときの予備として同じ型の交換レンズ８２を購入したが、交換レンズ８０が故障することがないので交換レンズ８２を他人に譲ることにした。
【０４１６】
人Ｐｉが、その交換レンズ８２を譲り受けることにした。
【０４１７】
ここで、人Ｐａは、交換レンズ８２の保証書を無くしてしまったとする。
【０４１８】
人Ｐｉは、人Ｐａとは面識がないので交換レンズ８２が盗難品ではないかと気になった。
【０４１９】
図４１は、ある時における家間の関係を示す図である。
【０４２０】
家４０と家４２とは離れているため（図５参照）、両家４０，４２間を簡単に行き来することは出来ない。なお、図４１では、人Ｐｉが交換レンズ８２が盗難品の可能性もあると思っており、交換レンズ８２の譲渡はまだ成立していない意味合いで家４０と家４２とを破線で結んでいる。
【０４２１】
人Ｐｉは、交換レンズ８２が人Ｐａの所有するものであるかどうか確認するためにメーカー５３に確認することにする。
【０４２２】
人Ｐｉから問い合わせを受けたメーカー５３は、管理サーバ７０と通信して交換レンズ８２の所有者を確かめる。
【０４２３】
メーカー５３は、端末装置５０３によって管理サーバ７０のデータベース７２３の記録を調べる。
【０４２４】
式（７８）
2013178310.tif 000080
式（７８）のI行から、交換レンズ８２は人Ｐａの所有であることがわかる。
【０４２５】
メーカー５３は、人Ｐｉに、交換レンズ８２は間違いなく人Ｐａが所有するものだということを伝えることが出来る。また、人Ｐａが、人Ｐｉに交換レンズ８２はほとんど使用していないことを伝えていた場合は、メーカー５３は、式（７８）のII行に装着記録が残っているだけであるので、人Ｐａがほとんど使用していないことを人Ｐｉに伝えることができる。
【０４２６】
そして、人Ｐｉは、安心して人Ｐａから交換レンズ８２を譲り受けることができる。
【０４２７】
人Ｐｉの交換レンズ８２が盗品ではないかとの心配は解消された。交換レンズ８２は、家４０から家４２へ移動した。
【０４２８】
人Ｐｉは、メーカー５３に交換レンズ８２の登録手続きをする。
【０４２９】
メーカー５３は、管理サーバ７０と通信して交換レンズ８２の情報を調べる。
【０４３０】
管理サーバ７０のデータベース７２３に保存された式（７８）のI行から交換レンズ８２は人Ｐａが所有しているものと確認が出来る。メーカー５３は、人Ｐａに交換レンズ８２の所有を確認する。
【０４３１】
メーカー５３は、人Ｐａから確かに人Ｐｉに譲りましたと連絡を受ける。譲ったことを確認できたら、メーカー５３は、管理サーバ７２と通信し譲渡情報を保存する。
【０４３２】
メーカー５３は、管理サーバ７２のデータベース７８３に譲渡情報を保存する（式（７９）参照）。
【０４３３】
式（７９）
2013178310.tif 000081
式（７９）のII行から交換レンズ８２は、人Ｐａから人Ｐｉに譲られたことがわかる。
【０４３４】
交換レンズ８２の所有者情報は、式（７９）のII行と式（７８）のI行の２箇所になるが、式（７９）のII行のｔ７という情報と式（７８）のI行のｔ１という情報から現在の所有者は人Ｐｉであることがわかる。
【０４３５】
なお、人Ｐａは、交換レンズ８２を他の人に譲ることをメーカー５３に事前に連絡をしてもよい。
【０４３６】
人Ｐａは、交換レンズ８２を他の人に譲ることをメーカー５３に連絡する。
【０４３７】
メーカー５３は、管理サーバ７０のデータベース７２３に譲渡情報を保存する（式（８０）参照）。
【０４３８】
式（８０）
2013178310.tif 000082
式（８０）のI行から交換レンズ８２を人Ｐａが他の人に譲る意志があることがわかる。この記録によって、メーカー５３は、人Ｐｉから問い合わせがあった際に人Ｐａに連絡を取ることを省略できるため、人Ｐｉの問い合わせに対し直ぐに答えることが可能となり、交換レンズ８２の譲渡をより手際良く行うことができる。
【０４３９】
交換レンズ８２を人Ｐｉの所有として登録する際は、交換レンズ８２の記憶部３２２にある装着情報を販売店あるいはメーカーで消去するようにしてもよい。
【０４４０】
このように、持ち主がはっきりしたものでしか譲渡が出来なくなってしまうので、盗難を無くすことができる。
【０４４１】
また、この発明は、管理サーバの情報を利用して、お客様の嗜好に合った案内を提供することができる。
【０４４２】
メーカー５３は、管理サーバ７０、管理サーバ７１、管理サーバ７２と通信する（図３７、式（８１）、（８２）、（８３）参照）。
【０４４３】
式（８１）
2013178310.tif 000083
式（８２）
2013178310.tif 000084
式（８３）
2013178310.tif 000085
式（８１）のI、II、III行から人Ｐａは、交換レンズ８０と交換レンズ８１とカメラボディ９０を持っていることがわかる。
【０４４４】
また、式（８２）のIV、V、VI行から人Ｐｅは、交換レンズ８３と交換レンズ８４とカメラボディ９１を持っていることがわかる。
【０４４５】
更に、式（８３）のVII、VIII、IX、X行から人Ｐｉは、交換レンズ８５と交換レンズ８６と交換レンズ８２とカメラボディ９２を持っていることがわかる。
【０４４６】
上記情報から、メーカー５３はそれぞれの人の嗜好に合った商品を紹介できる。
【０４４７】
更に、この発明は、画像サーバに送信した画像のうち、特定の画像を選択して送信相手先へ送ることもできる。
【０４４８】
人Ｐａが使用するカメラボディ９０に装着されたメディア１００には、式（５６）に示す画像が保存されている（前述の式（５６）と同じ）。
【０４４９】
式（５６）
2013178310.tif 000086
人Ｐａは、メディア１００に保存された画像の中から、I行の画像（ｉ３）を印刷する。
【０４５０】
その画像には、人Ｐｂと人Ｐｃとが写っているとする。
【０４５１】
今、人Ｐａは、画像サーバ１１０に送った画像情報の全てを人Ｐｆと人Ｐｊとに送るようにしているが、人Ｐｂ又は人Ｐｃが写っている画像を人Ｐｆと人Ｐｊとに送るようにする。
【０４５２】
人Ｐａは、印刷した画像（ｉ３）に人Ｐｂと人Ｐｃとをマーキングして、ある時ｔ９に店５０に提示する。
【０４５３】
店５０は、画像（ｉ３）から人Ｐｂと人Ｐｃとの特徴データを抽出し、抽出した特徴データを管理サーバ７０に送る（図７参照）。
【０４５４】
抽出した人Ｐｂと人Ｐｃとの特徴データは、管理サーバ７０のデータベース７２３に保存される（式（８４）参照）。
【０４５５】
式（８４）
2013178310.tif 000087
式（８４）のI行から、管理サーバ７０に送られた画像は、人Ｐｆと人Ｐｊとに送られる設定であるけれども人Ｐｆと人Ｐｊとに送られる画像は人Ｐｂ又は人Ｐｃが写っているものに限るということがわかる。II行から、ｄｃａ８の設定とｄｃａ４の設定は選択可能で、デフォルトは、ｄｃａ８の設定であることがわかる。ｄｃａ８の設定とはI行の設定であり、ｄｃａ４の設定とはIII行の画像サーバに送られた画像の全てを人Ｐｆと人Ｐｊに送る設定である。
【０４５６】
人Ｐａは、ある時ｔ１０に、家４０にて、交換レンズ８０をカメラボディ９０に装着した。
【０４５７】
交換レンズ８０の記憶部２８２には、装着情報が追加される（式（８５）参照）。
【０４５８】
式（８５）
2013178310.tif 000088
式（８５）は、ある時ｔ１０に、場所Ｇ１で交換レンズ８０がカメラボディ９０に装着されたことを示す。
【０４５９】
カメラボディ９０の記憶部１６３には、装着情報が追加される（式（８６）参照）。
【０４６０】
式（８６）
2013178310.tif 000089
式（８６）は、ある時ｔ１０に、場所Ｇ１で交換レンズ８０がカメラボディ９０に装着されたことを示す。
【０４６１】
そして、人Ｐａは、交換レンズ８０とカメラボディ９０とメディア１００との組み合わせで撮影をした。撮影した画像情報は、カメラボディ９０のＲＡＭ１５３に記憶されるとともに、メディア１００に保存される（式（８７）参照）。
【０４６２】
式（８７）
2013178310.tif 000090
式（８７）は、ある時ｔ１０に、場所Ｇ１で交換レンズ８０とカメラボディ９０とメディア１００との組み合わせで、画像（ｉ９、ｉ１０、ｉ１１）を撮影したことを示す。
【０４６３】
次に、人Ｐａは、カメラボディ９０と管理サーバ７０との間の通信を行う（図１８参照）。
【０４６４】
管理サーバ７０は、カメラボディ９０からの装着情報をＲＡＭ７１３に記憶するとともに、装着情報をデータベース７２３に保存する（式（８８）参照）。
【０４６５】
式（８８）
2013178310.tif 000091
式（８８）の２３行目に家４０での装着情報が記録される。
【０４６６】
そして、画像を画像サーバ１１０に送信する。
【０４６７】
カメラボディ９０は、メディア１００の画像情報を画像サーバ１１０へ送信し（図２４参照）、画像サーバ１１０は、カメラボディ９０からの画像情報をＲＡＭ８１３に記憶するとともに、画像情報をデータベース８２３に保存する（式（９０）参照）。
【０４６８】
式（９０）
2013178310.tif 000092
次に、画像サーバ１１０と管理サーバ７０との間で通信を行う。
【０４６９】
管理サーバ７０は、データベース７２３に保存された式（８８）の２２行目から、人Ｐｆと人Ｐｊとに、人Ｐｂ又は人Ｐｃが写っている画像を送ることをデフォルトとして、全画像を送るかどうかの選択式になっていることを確認する。
【０４７０】
図４２は、ある時におけるカメラボディと管理サーバと画像サーバとの関係を示す図である。
【０４７１】
管理サーバ７０は、カメラボディ９０と通信して、画像の人Ｐｆと人Ｐｊとへの送る方をどのようにするかの確認のメッセージを送る。
【０４７２】
図４３は、カメラボディによる処理方法を示すフローチャートである。図４３においてＳ１３１は処理ステップを示す。
【０４７３】
カメラボディ９０のモニタ１６２には、管理サーバ７０から送られた画像送信の選択をどちらにするかのメッセージが表示される。人Ｐａは、カメラボディ９０の操作部１６１によって、人Ｐｂ又は人Ｐｃが写っている画像を人Ｐｆと人Ｐｊとへの送る方を選択し、選択情報が管理サーバ７０に送信される（Ｓ１３１）。
【０４７４】
図４４は、管理サーバによる処理方法を示すフローチャートである。図４４において、Ｓ１４１〜１４３は各処理ステップを示す。
【０４７５】
管理サーバ７０は、カメラボディ９０から送信された選択情報を受信する（Ｓ１４１）。選択情報をもとに、管理サーバ７０は、画像サーバ１１０にあるデータベース８２３に保存された式（９０）の中の画像（ｉ９、ｉ１０、ｉ１１）から、人Ｐｂと人Ｐｃとを抽出し、画像（ｉ１０、ｉ１１）に人Ｐｂと人Ｐｃとが写っているとして、画像（ｉ１０、ｉ１１）を選択する（Ｓ１４２）。
【０４７６】
その後、管理サーバ７０は、画像の選択情報を画像サーバ１１０に送信する（Ｓ１４３）。
【０４７７】
図４５は、画像サーバ１１０による処理方法を示すフローチャートである。図４５において、Ｓ１５１，１５２は各処理ステップを示す。
【０４７８】
画像サーバ１１０は管理サーバ７０から送信された画像の選択情報を受信する（Ｓ１５１）。画像サーバ１１０は、画像の選択情報をＲＡＭ８１３に記憶するとともに、画像の選択情報をデータベース８２３にある式（９０）に加える（Ｓ１５２）。
【０４７９】
式（９１）
2013178310.tif 000093
次に、画像サーバ１１０に送信された画像が、人Ｐｆと人Ｐｊとに送られる。
【０４８０】
人Ｐｆが住む家４３には、カメラ機材として人Ｐａからプレゼントされたフォトフレーム１２３とメディア１０３がある。
【０４８１】
画像サーバ１１０は、式（９１）の送信先情報をもとに、画像情報をフォトフレーム１２３に送信する（図３３参照）。
【０４８２】
フォトフレーム１２３は、受信した画像情報を、メディア１０３に保存する（式（９２）参照）。
【０４８３】
式（９２）
2013178310.tif 000094
人Ｐｆは、フォトフレーム１２３の操作部４４１を操作して画像サーバ１１０から送られてきた、人Ｐｂ又は人Ｐｃが写っている画像をモニタ４４２を通して見ることが出来る（９、１０行目参照）。
【０４８４】
人Ｐｊが住む家４４には、カメラ機材として人Ｐａからプレゼントされたフォトフレーム１２４とメディア１０４がある。
【０４８５】
画像サーバ１１０は、式（９１）の送信先情報をもとに、画像情報をフォトフレーム１２４に送信する（図３３参照）。
【０４８６】
フォトフレーム１２４は、受信した画像情報をメディア１０４に保存する（式（９３）参照）。
【０４８７】
式（９３）
2013178310.tif 000095
人Ｐｊは、フォトフレーム１２４の操作部４７１を操作して画像サーバ１１０から送られてきた、人Ｐｂ又は人Ｐｃが写っている画像をモニタ４７２を通して見ることが出来る（９、１０行目参照）。
【０４８８】
以上のように、相手先に画像を送る際に、画像を選択的に送ることができる。例えば、離れて暮らす父母へ孫の画像を送りたいと言った場合、画像情報ベースへとりあえず送っておけば、あとは自動的に孫の写っている画像だけを父母へ送るといったことが簡単にできる。
【０４８９】
この実施形態によれば、第１実施形態と同様の効果を奏するとともに、以下の効果を奏する。
【０４９０】
交換レンズとカメラボディに装着情報を記憶し、管理サーバにその情報を記録することによって、交換レンズとカメラボディの状況の把握が可能となり、不自然なカメラボディと交換レンズの組み合わせの記録があれば、盗難の可能性があるとして確認することが出来るので、盗難防止効果を高めることができ、交換レンズの紛失が発生した場合にも、所有者へ戻ってくる可能性を高めることができる。また、画像を特定の人に簡単に送ることができる。
【符号の説明】
【０４９１】
１，８０〜８７：交換レンズ、２：製造番号、１５，１６，１８：レンズ側固有情報記憶部、３０，９０，９１，９２，９３：カメラボディ（カメラ本体）、３１：表示部、３３：十字キー（操作部）、７０，７１，７２：管理サーバ、１５１，１８１，２１１，２４１：ＣＰＵ（関連付け部）、１６１，１９１，２２１，２５１：操作部、１６２，１９２，２２２，２５２：モニタ（表示部）、１６３，１９３，２２３，２５３：カメラ側固有情報記憶部、１６４，１９４，２２４，２５４：ＧＰＳ（位置検知部）、１６５，１９５，２２５，２５５：スピーカ（警報部）、７２３，７５３，７８３：データベース、Ｌ１，Ｌ２：レンズ。
【図１】
2013178310.tif 000096
【図２】
2013178310.tif 000097
【図３】
2013178310.tif 000098
【図４】
2013178310.tif 000099
【図５】
2013178310.tif 000100
【図６】
2013178310.tif 000101
【図７】
2013178310.tif 000102
【図８】
2013178310.tif 000103
【図９】
2013178310.tif 000104
【図１０】
2013178310.tif 000105
【図１１】
2013178310.tif 000106
【図１２】
2013178310.tif 000107
【図１３】
2013178310.tif 000108
【図１４】
2013178310.tif 000109
【図１５】
2013178310.tif 000110
【図１６】
2013178310.tif 000111
【図１７】
2013178310.tif 000112
【図１８】
2013178310.tif 000113
【図１９】
2013178310.tif 000114
【図２０】
2013178310.tif 000115
【図２１】
2013178310.tif 000116
【図２２】
2013178310.tif 000117
【図２３】
2013178310.tif 000118
【図２４】
2013178310.tif 000119
【図２５】
2013178310.tif 000120
【図２６】
2013178310.tif 000121
【図２７】
2013178310.tif 000122
【図２８】
2013178310.tif 000123
【図２９】
2013178310.tif 000124
【図３０】
2013178310.tif 000125
【図３１】
2013178310.tif 000126
【図３２】
2013178310.tif 000127
【図３３】
2013178310.tif 000128
【図３４】
2013178310.tif 000129
【図３５】
2013178310.tif 000130
【図３６】
2013178310.tif 000131
【図３７】
2013178310.tif 000132
【図３８】
2013178310.tif 000133
【図３９】
2013178310.tif 000134
【図４０】
2013178310.tif 000135
【図４１】
2013178310.tif 000136
【図４２】
2013178310.tif 000137
【図４３】
2013178310.tif 000138
【図４４】
2013178310.tif 000139
【図４５】
2013178310.tif 000140